(57)【要約】【課題】通信システムにおけるデータ伝送のための方法およびシステム【解決手段】通信システムにおけるデータ伝送のための方法および装置が開示されている。ある期間中にユーザデータを送信することを希望している複数のアクセス端末のサブセットの各々は、その期間中に送信するための要求をアクセスネットワークに送信する。アクセスネットワークは要求に従ってその期間中に、複数のアクセス端末のサブセットの少なくとも１個が送信することを予定するための決定を行う。アクセスネットワークの少なくとも１個のアクセスポイントは、その決定を複数のアクセス端末に送信する。
2005536967.tif 000002
【特許請求の範囲】
【請求項１】
複数のアクセス端末から、少なくとも１個のアクセスポイントおよび制御器を含むアクセスネットワークへのユーザデータ伝送を予定するための方法であって、方法は、
複数のアクセス端末のサブセットの各々から、ある期間中に送信するための要求を送信し、アクセスネットワークにおいて、要求に従って複数のアクセス端末のサブセットの少なくとも１個がその期間中に送信することを予定するための決定を行い、そして
少なくとも１個のアクセスポイントから、複数のアクセス端末に決定を送信する
ことを含む方法。
【請求項２】
ここで、複数のアクセス端末のサブセットの各々から、ある期間中に送信するための要求を送信することは、
接続された状態にある複数のアクセス端末のサブセットの各々からある期間中に送信するための要求を送信すること
を含む、請求項１記載の方法。
【請求項３】
ここで、複数のアクセス端末のサブセットの各々から、ある期間中に送信するための要求を送信することは、
アクセス端末のサブセットの各々におけるある期間に対する好機レベルを決定し、そして
好機レベルおよび期間インジケータを送信する
ことを含む、請求項１記載の方法。
【請求項４】
ここで、決定することは、アクセス端末のサブセットの各々におけるあらかじめ設定された期間に対する好機レベルを決定することを含む、そして
ここで、送信することは好機レベルを送信することを含む、請求項３記載の方法。
【請求項５】
ここで、アクセス端末のサブセットの各々におけるある期間に対する好機レベルを決定することは、
その期間中の逆方向リンクチャネルの瞬時的な品質メトリック、逆方向リンクチャネルの平均品質メトリック、および関数に従って好機レベルを決定する
ことを含む、請求項３記載の方法。
【請求項６】
ここで、その期間中の逆方向リンクチャネルの瞬時的な品質メトリック、逆方向リンクチャネルの平均品質メトリック、および関数に従って好機レベルを決定することは、
その期間中の逆方向リンクチャネルの瞬時的な品質メトリック、逆方向リンクチャネルの平均品質メトリック、および切望関数に従って好機レベルを決定する
ことを含む、請求項５記載の方法。
【請求項７】
ここで、切望関数を決定することは、
最大の許容可能な伝送遅延、
アクセス端末における列をなすパケットの数、および
逆方向リンクの平均スループット
を含むグループから選択された要素に従って実行される、請求項６記載の方法。
【請求項８】
ここで、切望関数を決定することは、ユーザの特質によって修正された要素に従って実行される、請求項７記載の方法。
【請求項９】
ここで、その期間中の逆方向リンクチャネルの瞬時的な品質メトリック、逆方向リンクチャネルの平均品質メトリック、および関数に従って好機レベルを決定することは、
あらかじめ設定された期間中の逆方向リンクパイロットチャネルの瞬時的な品質メトリック、逆方向リンクパイロットチャネルの平均品質メトリック、および関数に従って好機レベルを決定する
ことを含む、請求項５記載の方法。
【請求項１０】
ここで、アクセスネットワークにおいて、要求に従って複数のアクセス端末のサブセットの少なくとも１個が、その期間中送信することを予定するための決定を行うことは、
最高の好機レベルを報告しているアクセス端末に対して優先権を与え、
いくつかのアクセス端末が同一の好機レベルを報告する場合は、より低い送信されたスループットを有するアクセス端末に優先権を与え、そして
好機レベルに従って優先権が確立できない場合は、アクセス端末をランダムに予定する
ことを含む、請求項３記載の方法。
【請求項１１】
ここで、アクセスネットワークにおいて、要求に従って複数のアクセス端末のサブセットの少なくとも１個が、その期間中に送信することを予定するための決定を行うことは、
複数のアクセス端末のサブセットの少なくとも１個を予定する、
ことを含む、請求項１記載の方法。
【請求項１２】
ここで、アクセスネットワークにおいて、要求に従って複数のアクセス端末のサブセットの少なくとも１個が、その期間中に送信することを予定するための決定を行うことは、
アクセスネットワーク制御器において決定を行う、
ことを含む、請求項１記載の方法。
【請求項１３】
ここで、アクセスネットワークにおいて、要求に従って複数のアクセス端末のサブセットの少なくとも１個が、その期間中に送信することを予定するための決定を行うことは、
送信のための要求を受信した少なくとも１個のアクセスポイントの各々において決定を行う、
ことを含む、請求項１記載の方法。
【請求項１４】
ここで、少なくとも１個のアクセスポイントから、複数のアクセス端末に決定を送信することは、
要求しているアクセス端末に対して取り扱いアクセスポイントである、少なくとも１個のアクセスポイントの各々から送信することを含む、請求項１記載の方法。
【請求項１５】
ここで、少なくとも１個のアクセスポイントから、複数のアクセス端末に決定を送信することは、
送信を認可された複数のアクセス端末の各々に対してエネルギー値を表示している信号を送信し、
送信を拒否された複数のアクセス端末の各々に対してゼロエネルギー値を表示している信号を送信する
ことを含む、請求項１記載の方法。
【請求項１６】
ここで、送信を認可された複数のアクセス端末の各々に対してエネルギー値を表示している信号を送信することは、
送信を認可された複数のアクセス端末の各々に対して第１のエネルギー値を表示している信号を送信し、
再送信を認可された複数のアクセス端末の各々に対して第２のエネルギー値を表示している信号を送信する、
ことを含む、請求項１５記載の方法。
【請求項１７】
さらに、
決定に従って複数のアクセス端末からユーザデータを送信することを含む、請求項１記載の方法。
【請求項１８】
さらに、
送信を認可された複数のアクセス端末の各々からのユーザデータを少なくとも１個のアクセスポイントにおいて受信し、
アクセス端末が送信を次に許可される場合は、そのユーザデータが正しく受信されている複数のアクセス端末の各々に対して、第１のエネルギー値を表示している信号を取り扱いアクセスポイントから送信し、そして
アクセス端末が通信を次に許可される場合は、そのユーザデータが正しく受信されていない複数のアクセス端末の各々に対して、第２のエネルギー値を表示している信号を取り扱いアクセスポイントから送信する
ことを含む、請求項１７記載の方法。
【請求項１９】
さらに、
そのユーザデータが正しく受信されている複数のアクセス端末の各々に対して、第１のエネルギー値を表示している信号を取り扱いしていないアクセスポイントから送信し、そして
そのユーザデータが正しく受信されていない複数のアクセス端末の各々に対して、第２のエネルギー値を表示している信号を取り扱いしていないアクセスポイントから送信する、
ことを含む、請求項１８記載の方法。
【請求項２０】
さらに、
誤って受信されたユーザデータを記憶し、そして
記憶されたユーザデータを再送信されたユーザデータと結合する
ことを含む、請求項１９記載の方法。
【請求項２１】
ここで、少なくとも１個のアクセスポイントにおいて送信を許可された複数のアクセス端末の各々からのユーザデータを受信することは、
送信を許可された複数のアクセス端末の各々からのユーザデータを、少なくとも１個のアクセスポイントの少なくとも１個のセクタにおいて受信することを含む、請求項１８記載の方法。
【請求項２２】
逆方向リンクチャネルの電力制御のための方法であって、方法は、
第１の逆方向リンクチャネルの送信電力を決定し、
逆方向リンクチャネル上に送信されるべきデータレートに対する、第１の逆方向リンクチャネルに対する逆方向リンクチャネルの送信電力比を決定し、
逆方向リンクチャネルの品質メトリックに従って送信電力比を調整し、そして
調整された送信電力比に従って逆方向リンクチャネル送信電力を計算する
ことを含む方法。
【請求項２３】
ここで、第１の逆方向リンクチャネルの送信電力を決定することは、
第２の逆方向リンクチャネルの品質メトリックに従って、第１の逆方向リンクチャネルの送信電力を決定することを含む、請求項２２記載の方法。
【請求項２４】
ここで、逆方向リンクチャネルの品質メトリックに従って送信電力比を調整することは、
逆方向リンクチャネル上へのユーザデータの再伝送に関する第１に設定された数が失敗であった場合は、第１に設定された量だけ送信電力比を増加することを含む、請求項２２記載の方法。
【請求項２５】
ここで、逆方向リンクチャネルの品質メトリックに従って送信電力比を調整することは、
ユーザデータが逆方向リンクチャネル上に第２の設定された再伝送の数以内で成功のうちに送信されている場合は、第２の決定された量だけ送信電力比を減少する
ことを含む、請求項２２記載の方法。
【請求項２６】
ここで、逆方向リンクチャネルの品質メトリックに従って送信電力比を調整することは、
第１の逆方向リンクチャネルの伝送期間および逆方向リンクチャネルの伝送期間の間のライズオーバーサーマルディフェレンシャルを決定し、
ライズオーバーサーマルディフェレンシャルを調整し、
調整されたライズオーバーサーマルディフェレンシャルに従って送信電力比を調整する
ことを含む、請求項２２記載の方法。
【請求項２７】
ここで、第１の逆方向リンクチャネルの伝送期間および逆方向リンクチャネルの伝送期間の間のライズオーバーサーマルディフェレンシャルを決定することは、
アクセスポイントにおいて、第１の逆方向リンクチャネルの伝送期間中のライズオーバーサーマルを測定し、
アクセスポイントにおいて、逆方向リンクチャネルの伝送期間中のライズオーバーサーマルを測定し、そして
第１の逆方向リンクチャネルの伝送期間中のライズオーバーサーマルおよび、逆方向リンクチャネルの伝送期間中のライズオーバーサーマル間の差を計算する
ことを含む、請求項２６記載の方法。
【請求項２８】
ここで、第１の逆方向リンクチャネルの伝送期間および、逆方向リンクチャネルの伝送期間の間のライズオーバーサーマルディフェレンシャルを決定することは、
アクセス端末においてライズオーバーサーマルディフェレンシャルを推定する
ことを含む、請求項２６記載の方法。
【請求項２９】
ここで、アクセス端末においてライズオーバーサーマルディフェレンシャルを推定することは、
逆方向リンクチャネルの品質メトリックに従って、アクセス端末においてライズオーバーサーマルディフェレンシャルを推定する
ことを含む、請求項２８記載の方法。
【請求項３０】
ここで、逆方向リンクチャネルはトラフィックチャネルを含み、そして
ここで、第１の逆方向リンクチャネルはパイロットチャネルを含む、請求項２２記載の方法。
【請求項３１】
ここで、第２の逆方向リンクチャネルは、データ要求チャネルを含む、請求項２３記載の方法。
【発明の詳細な説明】
【技術分野】
【０００１】
［相互参照(Cross Reference)］
本出願は、２００２年８月２３日に出願され、“通信システムにおける逆方向リンク上へのデータ伝送のための方法およびシステム”と題された、そして本発明の譲受人に譲渡された、米国特許出願番号60/405,422から優先権を主張する。
【０００２】
本発明は、有線あるいは無線通信システムにおける通信に関する。より特定的には、本発明は、これらの通信システムにおけるデータ伝送のための方法およびシステムに関する。
【背景技術】
【０００３】
通信システムは、発信局から物理的に離れた宛先局への情報信号の伝送を可能とするために開発されてきている。発信局から通信チャネル上に情報信号を送信する場合に、情報信号は最初に、通信チャネル上への効率的な伝送に適した形態に変換される。情報信号に関する変換すなわち変調は、情報信号に従って、結果となる変調された搬送波のスペクトルが通信チャネル帯域幅の中に局限されるような方法で、搬送波のパラメータを変化することを含む。宛先局においては、もとの情報信号は通信チャネル上に受信された変調された搬送波から再構成される。一般的に、このような再構成は、発信局によって使用された変調処理の逆を使用することによって達成される。
【０００４】
変調はまた、多元接続すなわち共通の通信チャネル上のいくつかの信号に関する同時の伝送および／あるいは受信を容易にする。多元接続通信システムはしばしば、共通の通信チャネルへの連続的な接続よりはむしろ比較的短期間の間欠的な接続を必要とする、複数の遠隔加入者ユニットを含む。当業界においては、時間分割多元接続（ＴＤＭＡ）、および周波数分割多元接続（ＦＤＭＡ）等のいくつかの多元接続技術が知られている。多元接続技術の他の形式は、今後ＩＳ‐９５標準として参照される、“デュアルモード広帯域スペクトル拡散セルラシステムのための、ＴＩＡ／ＥＩＡ／ＩＳ‐９５  移動局‐基地局両立性標準”に適合する、符号分割多元接続（ＣＤＭＡ）スペクトル拡散システムである。多元接続通信システムにおけるＣＤＭＡ技術の使用は、“衛星あるいは地上中継器を使用するスペクトル拡散多元接続通信システム”と題された米国特許4,901,307および“ＣＤＭＡセルラ電話システムにおける波形を発生するためのシステムおよび方法”と題された、米国特許5,103,459の中に開示され、両者はともに本譲受人に譲渡されている。
【０００５】
多元接続通信システムは、無線あるいは有線であるかも知れず、そして音声トラフィックおよび／あるいはデータトラフィックを搬送するかも知れない。音声およびデータトラフィックの両者を搬送する通信システムの例は、通信チャネル上に音声およびデータトラフィックを送信することを規定する、ＩＳ‐９５標準に従ったシステムである。固定されたサイズの符号チャネルフレーム内にデータを送信するための方法は、“伝送のためにデータをフォーマットするための方法および装置”と題された、本特許譲受人に譲渡された米国特許5,504,773の中に詳細に記述されている。 ＩＳ‐９５標準に従って、データトラフィックあるいは音声トラフィックは、１４．４Ｋｂｐｓもの高いデータレートで２０ミリ秒の幅の符号チャネルフレームに分割される。音声およびデータトラフィックの両者を搬送する通信システムに関するさらなる例は、文書番号3G  TS25.211、3G  TS25.212、3G  TS25.213および3G  TS25.214を含む一連の文書（Ｗ‐ＣＤＭＡ標準）に収録された“第３世代パートナーシッププロジェクト”（３ＧＰＰ）あるいは、“ｃｄｍａ２０００スペクトル拡散システムのためのTR‐45.5物理レイヤ標準”（ＩＳ‐２０００標準）に適合する通信システムを含む。
【０００６】
用語、基地局はそれと加入者局が通信するアクセスネットワークエンティティである。ＩＳ‐８５６標準に関しては、基地局はまたアクセスポイントとしても参照される。セルは、用語が使用される状況によって異なり、基地局あるいは基地局によって取り扱われる地理的なカバー範囲を参照する。セクタは、その基地局によって取り扱われる地理的な領域の区画を取り扱う基地局の区画である。
【０００７】
用語、“加入者局”は、この中では、それとアクセスネットワークが通信するエンティティを意味するために使用される。 ＩＳ‐８５６標準に関しては、基地局はまたアクセス端末としても参照される。加入者局は移動であり、あるいは固定であるかも知れない。加入者局は、無線チャネルを経由してあるいは、たとえば光ファイバあるいは同軸ケーブル等の有線チャネルを経由して通信する任意のデータデバイスであることが可能である。加入者局はさらに、ＰＣカード、コンパクトフラッシュ(登録商標)、外付けあるいは内蔵モデム、あるいは無線あるいは有線電話を含むしかし限定はされない、いくつかのデバイスの形式の任意のものであることが可能である。基地局とアクティブなトラフィックチャネル接続を確立する過程にある加入者局は、接続セットアップ状態にあるといわれる。基地局とアクティブなトラフィックチャネル接続を確立している加入者局は、アクティブな加入者局といわれ、そしてトラフィック状態にあるといわれる。
【０００８】
用語、アクセスネットワークは、少なくとも１個の基地局（ＢＳ）および１個あるいはそれ以上の基地局制御器(base stations’ controllers)の集合である。アクセスネットワークは、複数の加入者局間の情報信号を輸送する。アクセスネットワークはさらに、法人の(corporate)イントラネットあるいはインターネット等の、アクセスネットワーク外の他のネットワークに接続されることが可能であり、そして各基地局およびこれらの外部ネットワーク間の情報信号を輸送することが可能である。
【０００９】
上述の多元接続無線通信システムにおいては、ユーザ間の通信は１個あるいはそれ以上の基地局を経由して行われる。用語、ユーザは動作中の(animate)、あるいは非動作中のエンティティを参照する。一つの無線加入者局上の第１のユーザは、基地局への逆方向リンク上で情報信号を運ぶことによって、第２の無線加入者局上の第２のユーザと通信する。基地局は情報信号を受信し、そして順方向リンク上を第２の加入者局へ情報信号を運ぶ。もしも第２の加入者局が基地局によって取り扱われる範囲にない場合は、基地局はその取り扱い範囲内に第２の加入者局が位置する他の基地局へデータを発送する。第２の基地局はそこで、順方向リンク上を第２の加入者局へ情報信号を運ぶ。順方向リンクは、基地局から無線加入者局への伝送を参照し、そして逆方向リンクは、無線加入者局から基地局への伝送を参照する。同様に、通信は無線加入者局上の第１のユーザおよび有線局上の第２のユーザ間で行われることが可能である。基地局は、無線加入者局上の第１のユーザから逆方向リンク上でデータを受信し、そしてデータを公衆交換電話ネットワーク（ＰＳＴＮ）を経由して有線局上の第２のユーザに発送する。多くの通信システム、たとえばＩＳ‐９５、Ｗ‐ＣＤＭＡ、およびＩＳ‐２０００においては、順方向リンクおよび逆方向リンクは分離した周波数を割り当てられる。
【００１０】
音声トラフィックのみのサービスおよびデータトラフィックのみのサービスに関する検討は、２種類のサービス間の若干の重要な差を明らかにした。一つの差は情報内容の配送における遅延に関係する。音声トラフィックサービスは厳密なそして一定した遅延要求条件を課する。典型的には、音声フレームとして参照される、音声トラフィック情報に関するあらかじめ設定された量の全一方向遅延は、１００ミリ秒よりもより小さくなければならない。対照的に、全一方向データトラフィック遅延は、通信システムによって与えられるデータトラフィックサービスの効率を最適化するために使用される、可変パラメータであることが可能である。たとえば、マルチユーザダイバーシティ、より好都合な条件（となる）までのデータ伝送の遅延、音声トラフィックサービスによって許容されることが可能な遅延よりも意味をもってより大きい遅延を必要とする、より効率的な誤り訂正符号化技術、および他の技術が利用可能である。データに対する典型的に効率的な符号化方式は、“畳み込み符号化された符号語(code word)を復号するための軟判定出力復号器”と題された、１９９６年１１月６日に出願され、本譲受人に譲渡された、米国特許出願シリアル番号08/743,688の中に開示されている。
【００１１】
音声トラフィックサービスおよびデータトラフィックサービス間の他の意味のある差は、前者がすべてのユーザに対して一定したそして共通のサービス程度（ＧＯＳ：grade of service）を必要とすることである。典型的には、音声トラフィックサービスを与えるディジタル通信システムに対しては、この要求条件はすべてのユーザに対する一定したそして等しい伝送レート、および音声フレームの誤り率に対する最大の許容可能な値に変換される。対照的に、データサービスに対するＧＯＳは、ユーザごとに異なることが可能であり、そしてその最適化が通信システムに与えられるデータトラフィックサービスの全体の効率を増加させる可変パラメータであることが可能である。通信システムに与えられるデータトラフィックサービスのＧＯＳは、典型的には（たとえばデータパケットを含むことが可能な）あらかじめ設定されたデータトラフィック情報の量の転送中に受ける全遅延として定義される。用語、パケットは、データ（ペイロード）および制御エレメントを含む特定のフォーマットに配列されたビットのグループである。制御エレメントは、たとえば前文、品質メトリック（quality metric）、および当業界において熟練した人に知られるその他のものを含む。品質メトリックはたとえば、巡回冗長検査（ＣＲＣ）、パリティビット、および当業界において熟練した人に知られるその他のものを含む。
【００１２】
さらに、音声トラフィックサービスおよびデータトラフィックサービス間の他の意味のある差は、前者は信頼できる通信リンクを必要とすることである。第１の基地局と音声トラフィック通信中の加入者局が、第１の基地局によって取り扱われるセルの端部に移動する場合、加入者局は第２の基地局によって取り扱われる他のセルと重なる領域に入る。このような領域にある加入者局は、第１の基地局との音声トラフィック通信を維持する一方で、第２の基地局との音声トラフィック通信を確立する。このような同時通信の期間中、加入者局は２個の基地局から同じ情報を搬送する信号を受信する。同様に、両基地局もまた、加入者局から情報を搬送する信号を受信する。
【００１３】
このような同時通信はソフトハンドオフと呼ばれる。加入者局が第１の基地局によって取り扱われたセルを最後に離れ、そして第１の基地局との音声トラフィック通信を切断する場合に、加入者局は第２の基地局との音声トラフィック通信を継続する。ソフトハンドオフは“メークビフォーブレーク(make before break)”メカニズムであるために、ソフトハンドオフは中止される呼の確率を最小とする。ソフトハンドオフ処理期間中に、１個以上の基地局を経由して加入者局との通信を与えるための方法およびシステムは、“ＣＤＭＡセルラ電話システムにおける移動体援助ソフトハンドオフ”と題された、本譲受人に譲渡された米国特許5,267,261の中に開示されている。
【００１４】
ソフタハンドオフは、それによって通信がマルチセクタ基地局の少なくとも２個のセクタ上で生じるのと同様な処理である。ソフタハンドオフの処理は、“共通の基地局のセクタ間のハンドオフを実行するための方法および装置”と題された１９９６年１２月１１日に出願され、本譲受人に譲渡された、共に出願中の米国特許出願シリアル番号08/763,498に詳細に記述されている。このように、音声サービスに対するソフトおよびソフタハンドオフの両者は信頼性を改善するために２個あるいはそれ以上の基地局からの冗長な伝送に帰着している。
【００１５】
このさらなる信頼性は、誤りをもって受信されたデータパケットは再送信されることが可能であるために、データトラフィック通信に対してはさほど重要ではない。データサービスに対する重要なパラメータは、データパケットの転送に対して必要とされる伝送遅延およびデータトラフィック通信システムの平均スループットレートである。伝送遅延は、データ通信においては音声通信におけると同様な影響力を有していないが、しかし伝送遅延はデータ通信システムの品質を測定するための重要なメトリックである。平均スループットレートは、通信システムのデータ伝送能力の効率に関する尺度である。緩和された伝送遅延要求条件のために、順方向リンク上におけるソフトハンドオフをサポートするために使用される送信電力および資源は、さらなるデータの伝送に対して使用することが可能であり、従って効率の増加によって平均スループットレートは増加する。
【００１６】
逆方向リンクにおいては状況は異なる。いくつかの基地局は加入者局によって送信された信号を受信することが可能である。加入者局からのパケットの再伝送は電力に制限のあるソース（電池）からの余分な電力を必要とするために、加入者局から送信されたデータパケットを受信しそして処理するためにいくつかの基地局において資源を割り当てることによって、逆方向リンク上におけるソフトハンドオフをサポートすることが効率的であるかも知れない。ソフトハンドオフのこのような利用は、Andrew  J．ViterbiおよびKlein  Ｓ．Gilhousenによる文献、“ソフトハンドオフはＣＤＭＡカバレッジを増大し、そして逆方向リンク容量を増加する”、IEEE  Journal  on  Selected  Areas  in  Communication、１２巻８号、１９９４年１０月、の中に論じられたように、カバレッジおよび逆方向リンク容量を増加する。用語、ソフトハンドオフは、加入者局および２個あるいはそれ以上のセクタ間の通信であり、ここで各セクタは、異なったセルに属している。ＩＳ‐９５標準の環境においては、逆方向リンク通信は、両セクタによって受信され、そして順方向リンク通信は２個あるいはそれ以上のセクタの順方向リンク上を同時に搬送される。ＩＳ‐８５６標準の環境においては、順方向リンク上のデータ伝送は２個あるいはそれ以上のセクタのうち１個およびアクセス端末間で同時にではなく(non-simultaneously)実行される。さらに、ソフタハンドオフはこの目的に対して使用することが可能である。用語、ソフタハンドオフは、加入者局および２個あるいはそれ以上のセクタ間の通信であって、ここで各セクタは同じセルに属している。 ＩＳ‐９５標準の環境においては、逆方向リンク通信は両セクタにより受信され、そして順方向リンク通信は２個あるいはそれ以上のセクタの順方向リンクの一つで同時に実行される。 ＩＳ‐８５６標準の環境においては、順方向リンク上のデータ伝送は２個あるいはそれ以上のセクタの一つおよびアクセス端末間で同時にではなく実行される。
【００１７】
無線通信システムにおけるデータ転送の品質および効果は、ソース端末および宛先端末間の通信チャネルの条件によって異なることはよく知られている。たとえば、信号対干渉および雑音比（ＳＮＩＲ）として表されるこのような条件は、いくつかの要素たとえば、基地局のカバレッジエリア内にある加入者局のパスロスおよびパスロスの変動、同じセルからのおよび他のセルからの、共に他の加入者局からの干渉、他の基地局からの干渉、および当業界において通常に熟練した人には知られる他の要素の、いくつかの要素によって影響される。通信チャネルに関する種々の条件のもとで、サービスに関する一定したレベルを維持するために、ＴＤＭＡおよびＦＤＭＡシステムは、ユーザを異なった周波数および／あるいはタイムスロットによって分離し、そして干渉を軽減するために周波数再使用をサポートする。周波数再使用は利用可能なスペクトルを周波数の多くのセットに分割する。与えられたセルは１セットだけからの周波数を使用する。このセルにすぐ隣接するセルは、同じセットからの周波数を使用しないことが可能である。ＣＤＭＡシステムにおいては、同一の周波数は通信システムのすべてのセル内で再使用され、それによって全体の効率を改善している。干渉は他の技術、たとえば直交コーディング、伝送電力制御、可変レートデータ、および当業界において通常に熟練した人に知られる他の技術によって軽減される。
【００１８】
上述の概念は、高データレート（ＨＤＲ）通信システムとして知られるデータトラフィックのみの通信システムの開発において使用された。このような通信システムは、“高レートパケットデータ伝送のための方法および装置”と題された、１９９７年１１月３日に出願され、本譲受人に譲渡された共に出願中の出願シリアル番号08/963,386の中に詳細に開示されている。ＨＤＲ通信システムは、今後ＩＳ‐８５６標準として参照される、ＴＩＡ／ＥＩＡ／ＩＳ‐８５６工業標準として標準化された。
【００１９】
ＩＳ‐８５６標準は、３８．４ｋｂｐｓから２．４Ｍｂｐｓに亙る、その値でアクセスポイント（ＡＰ）は加入者局（アクセス端末）にデータを送出することが可能な、データレートのセットを定義する。アクセスポイントは基地局に類似しているために、セルおよびセクタに関する用語は音声システムに関すると同様である。 ＩＳ‐８５６標準に従って、順方向リンク上に送信されるべきデータはデータパケットに分割され、各データパケットは、そのように順方向リンクが分割されている１個あるいはそれ以上の期間（タイムスロット）上に送信される。各タイムスロットにおいて、データ伝送はアクセスポイントから、アクセスポイントのカバレッジエリア内に位置する１個の、そして１個だけのアクセス端末に、順方向リンクおよび通信システムによってサポートされることが可能な最大のデータレートで生起する。アクセス端末は、アクセスポイントおよびアクセス端末間の順方向リンク条件に従って選択される。順方向リンク条件は、その両者とも時間により変化するアクセスポイントおよびアクセス端末間の干渉およびパスロスによって異なる。パスロスおよびパスロスの変動は、アクセスポイントの伝送を、その期間中特定のアクセスポイントに対するアクセス端末の順方向リンク条件が残っているアクセス端末に対する伝送よりもより少ない電力あるいはより高いデータレートでの伝送を可能とし、したがって順方向リンクのスペクトル効率を改善する、設定された基準を満足する期間に予定することによって利用される。
【００２０】
対照的に、ＩＳ‐８５６標準に従って、逆方向リンク上におけるデータ伝送はアクセスポイントのカバレッジエリア内に位置する複数のアクセス端末から発生する。さらに、アクセス端末のアンテナパターンは全方向性(omuni-directional)であるためにアクセスポイントのカバレッジエリア内の任意のアクセス端末はこれらのデータ伝送を受信することが可能である。従って逆方向リンク伝送はいくつかの干渉のソース、すなわち他のアクセス端末の符号分割多重化されたオーバーヘッドチャネル、アクセスポイントのカバレッジエリア内に位置するアクセス端末（同一セルアクセス端末）からのデータ伝送、および他のアクセスポイントのカバレッジエリア内に位置するアクセス端末（他セルアクセス端末）からのデータ伝送のもとにおかれる。
【００２１】
無線データサービスの発展と共に重要性は、サーバがホストからの要求に応じて高レートデータを与える、インターネットサービスのモデルに従って順方向リンク上のデータスループットを増加することにおかれてきている。サーバからホストへの方向は、高スループットを必要とする順方向リンクに類似し、一方ホストからサーバへの要求および／あるいはデータ転送はより低いスループットである。しかしながら、現在の発展は逆方向リンクデータの激しい応用、たとえばファイル転送プロトコル（ＦＴＰ：file transfer protocol）、ビデオ会議(video conferencing)、ゲーム、定ビットレートサービス等の成長を示している。これらの応用は、応用が逆方向リンク上の高いスループットを要求しているために、より高いデータレートを達成するための、逆方向リンクに関する改善された効率を必要とする。その結果当業界においては、逆方向リンク上のデータスループットを増加させるための、理想的には対称的な順方向および逆方向リンクスループットを与えるためのニーズが存在する。逆方向リンク上の増加されたデータスループットはさらに、当業界においては電力制御およびデータのレート決定のための方法および装置に対するニーズを作り出している。
【００２２】
本発明に関する上記のそしてさらなる特徴は、付属された特許請求範囲の中に詳細に示されており、そしてそれらの利点と共に、添付されている図面の例によって与えられる本発明の実施例に関する以下の詳細な記述の考慮からより明白になろう。
【発明の開示】
【課題を解決するための手段】
【００２３】
本発明の一つの観点においては、上に述べられたニーズは、複数のアクセス端末のサブセットの各々から、ある期間中に送信するための要求を送信し、アクセスネットワークにおいて、要求に従ってその期間中に、複数のアクセス端末のサブセットの少なくとも１個が送信することを予定するための決定を行い、そして少なくとも１個のアクセスポイントから複数のアクセス端末に対して決定を送信することによって対応される。
【００２４】
本発明の他の観点においては、上に述べられたニーズは、アクセスネットワークにおいて、ある期間中に送信するための少なくとも１個の要求を受信し、アクセスネットワークにおいて、少なくとも１個の要求に従ってその期間中における少なくとも１個の伝送を予定するための決定を行い、そして少なくとも１個のアクセスポイントから決定を送信することによって対応される。
【００２５】
本発明の他の観点においては、上に述べられたニーズは、複数のアクセス端末のサブセットの各々から、ある期間中に送信するための要求を送信し、そして複数のアクセス端末の少なくとも１個において予定の決定を受信することによって対応される。
【発明を実施するための最良の形態】
【００２６】
図１は、通信システムの概念的線図を示す。これらの通信システムはＩＳ‐８５６標準に従って作成することが可能である。アクセスポイント１００は、順方向リンク１０６（１）上でデータをアクセス端末１０４に送信し、そして逆方向リンク１０８（１）上でアクセス端末１０４からのデータを受信する。同様に、アクセスポイント１０２は、順方向リンク１０６（２）上でデータをアクセス端末１０４に送信し、そして逆方向リンク１０８（２）上でアクセス端末１０４からのデータを受信する。順方向リンク上のデータ伝送は、１個のアクセスポイントから１個のアクセス端末まで、順方向リンクおよび通信システムによってサポートされることが可能な最大のデータレート、あるいはその付近で生起する。順方向リンクの付加的なチャネル、たとえば制御チャネルは、複数のアクセスポイントから１個のアクセス端末に送信されることが可能である。逆方向リンクデータ通信は、１個のアクセス端末から１個あるいはそれ以上のアクセスポイントに生起することが可能である。アクセスポイント１００およびアクセスポイント１０２は、バックハウル１１２（１）および１１２（２）上で制御器１１０に接続される。“バックハウル”は、制御器およびアクセスポイント間の通信リンクである。２個のみのアクセス端末および１個のアクセスポイントが図１において示されるが、これは説明のみのためであって、そして通信システムは複数のアクセス端末およびアクセスポイントを含むことが可能である。
【００２７】
アクセス端末がアクセスネットワークにアクセスすることを許可する登録の後に、アクセス端末１０４およびアクセスポイントの１個たとえばアクセスポイント１００は、あらかじめ設定されたアクセス手順を用いて通信リンクを確立する。接続された状態においては、あらかじめ設定されたアクセス手順に起因してアクセス端末１０４は、アクセスポイント１００からのデータおよび制御メッセージを受信することが可能になり、そしてアクセスポイント１００に対してデータおよび制御メッセージを送信することが可能になる。アクセス端末１０４は、引き続いてアクセス端末１０４のアクティブセットに加えられることが可能な他のアクセスポイントを探索する。アクティブセットは、アクセス端末１０４と通信することが可能なアクセスポイントのリストを含む。このようなアクセスポイントが見出される場合は、アクセス端末１０４は、アクセスポイントの順方向リンクに関する、信号対干渉および雑音比（ＳＩＮＲ）を含むことが可能な品質メトリックを計算する。ＳＩＮＲはパイロット信号に従って決定することが可能である。アクセス端末１０４は、他のアクセスポイントを探索し、そしてアクセスポイントのＳＩＮＲを決定する。同時に、アクセス端末１０４は、アクセス端末１０４のアクティブセット内の各アクセスポイントに対する順方向リンクの品質メトリックを計算する。もしも特定のアクセスポイントからの順方向リンク品質メトリックが、あらかじめ設定された時間に対して、あらかじめ設定された加算しきい値の上にあるかあるいはあらかじめ設定された減算しきい値の下にある場合は、アクセス端末１０４はこの情報をアクセスポイント１００に報告する。アクセスポイント１００からのその後のメッセージは、アクセス端末１０４に、その特定のアクセスポイントをアクセス端末１０４アクティブセットに加え、あるいは除くことを指示するかも知れない。
【００２８】
アクセス端末１０４は、パラメータのセットに基づいてアクセス端末１０４のアクティブセットから取り扱いアクセスポイントを選択する。取り扱いアクセスポイントは、特定のアクセス端末とのデータ通信に対して選択されたアクセスポイント、あるいは特定のアクセス端末に対してデータを伝達しているアクセスポイントである。パラメータのセットは、たとえば、現在および以前における任意の、１個あるいはそれ以上の、ＳＩＮＲ測定値、ビット誤り率、パケット誤り率、そして任意の知られたパラメータを含むことが可能である。従って、たとえば取り扱いアクセスポイントは、最大のＳＩＮＲ測定に従って選択することが可能である。アクセス端末１０４はそこで、データ要求チャネル（ＤＲＣチャネル）上にデータ要求メッセージ（ＤＲＣメッセージ）を放送する。ＤＲＣメッセージは要求されたデータレート、あるいは代わりに順方向リンクの品質に関する表示、たとえば測定されたＳＩＮＲ、ビット誤り率、パケット誤り率等を含むことが可能である。アクセス端末１０４は、特定のアクセスポイントに対して、特定のアクセスポイントを唯一のものとして(uniquely)識別する符号の使用によってＤＲＣメッセージの放送を指示することが可能である。典型的には、符号はウォルシュ符号を含む。ＤＲＣメッセージシンボルは、独自のウォルシュ符号と排他的論理和演算（ＸＯＲ）される。このＸＯＲ演算は、信号に関するウォルシュカバリングとして参照される。アクセス端末１０４のアクティブセット内の各アクセスポイントは独自のウォルシュ符号によって識別されるので、正しいウォルシュ符号を有するアクセス端末１０４によって実行されたそれと同一のＸＯＲ演算を実行する選択されたアクセスポイントのみがＤＲＣメッセージを正しく復号することが可能である。
【００２９】
アクセス端末１０４に対して送信されるべきデータは制御器１１０に到着する。その後、制御器１１０は、バックハウル１１２上でアクセス端末１０４アクティブセット内のすべてのアクセスポイントにデータを送出するかも知れない。あるいは、制御器１１０は、いずれのアクセスポイントがアクセス端末１０４によって、取り扱いアクセスポイントとして選択されたかを最初に決定し、そしてそこでデータを取り扱いアクセスポイントに送出するかも知れない。データはアクセスポイントにおいて列をなして記憶される。ページングメッセージがそこで１個あるいはそれ以上のアクセスポイントによってそれぞれの制御チャネル上でアクセス端末１０４に送出される。アクセス端末１０４は、ページングメッセージを得るために１個あるいはそれ以上の制御チャネル上の信号を復調し、そして復号する。
【００３０】
各順方向リンク期間において、アクセスポイントはページングメッセージを受信したアクセス端末の何れかに対してデータ伝送を予定することが可能である。伝送を予定するための典型的な方法は、“通信システムにおいて資源を割り当てるためのシステム”と題された、本譲受人に譲渡された、米国特許6,229,795の中に記述されている。アクセスポイントは、各アクセス端末からのＤＲＣメッセージ内で受信されたレート制御情報を、最高の可能なレートで順方向リンクデータを効率的に送信するために使用する。データのレートは変化するかも知れないために、通信システムは可変レートモードで動作する。アクセスポイントは、アクセス端末１０４から受信したＤＲＣメッセージの最も最近の値に基づいて、アクセス端末１０４に対してデータを送信すべきデータレートを決定する。さらに、アクセスポイントはその移動局に対して独自の拡散符号を使用することによって、アクセス端末１０４に対する伝送を唯一のものとして識別する。この拡散符号は、長い擬似雑音（ＰＮ）符号、たとえばＩＳ‐８５６標準によって定義された拡散符号である。
【００３１】
データパケットが向けられるアクセス端末１０４は、データパケットを受信し、そして復号する。各データパケットは識別子、たとえば見落とされたあるいは重複された伝送の何れかを検出するためにアクセス端末１０４によって使用されるシーケンス番号と組み合わせられている。このような事態においては、アクセス端末１０４は、逆方向リンクデータチャネルを経由して、失われたデータパケットのシーケンス番号を通知する。アクセス端末１０４と通信しているアクセスポイントを経由してアクセス端末１０４からのデータメッセージを受信する制御器１１０は、そこでアクセスポイントに対して何れのデータユニットがアクセス端末１０４によって受信されなかったかを示す。アクセスポイントはそこでこのデータパケットの再伝送を予定する。
【００３２】
可変レートモードで動作するアクセス端末１０４およびアクセスポイント１００間の通信リンクがあらかじめ設定された信頼性レベル以下に劣化する場合、アクセス端末１０４は最初に可変レートモード内にある他のアクセスポイントが受け入れ可能なデータのレートをサポート可能であるか否かを決定することを試みる。もしもアクセス端末１０４がこのようなアクセスポイント（たとえばアクセスポイント１０２）を突き止める場合は、アクセスポイント１０２に対する異なった通信リンクへの再指示が生起する。用語、再指示はアクセス端末のアクティブリストのメンバーであるセクタの選択であり、そしてそこでセクタは現在選択されたセクタと異なる。データ伝送は可変レートモードでアクセスポイント１０２から継続する。
【００３３】
上に述べた通信リンクの劣化は、たとえば、アクセス端末１０４がアクセスポイント１００のカバレッジエリアからアクセスポイント１０２のカバレッジエリアに移動すること、シャドウイング、フェージング、および他のよく知られた理由により引き起こされることが可能である。あるいは、アクセス端末１０４および、現在使用された通信リンクよりもより高いスループットレートを達成することが可能な他のアクセスポイント（たとえばアクセスポイント１０２）間の通信リンクが利用可能になる場合は、アクセスポイント１０２に対する異なった通信リンクへの再指示が生起し、そしてデータ伝送はアクセスポイント１０２から可変レートモードで継続する。もしもアクセス端末１０４が、可変レートモードで動作し、許容可能なデータレートをサポートすることが可能なアクセスポイントの検出に失敗する場合は、アクセス端末１０４は固定レートモードに移行する。このようなモードにおいては、アクセス端末は１個のレートで送信する。
【００３４】
アクセス端末１０４は、すべての候補となるアクセスポイントとの通信リンクを可変レートデータおよび固定レートデータモードの両者に対して評価し、そして最高のスループットをもたらすアクセスポイントを選択する。
アクセス端末１０４は、もしもセクタがもはやアクセス端末１０４アクティブセットのメンバーでない場合は、固定レートモードから可変レートモードに戻り転換する。
【００３５】
以上に記述された固定レートモードおよび固定レートモードへのそしてそれからの移行に対する組み合わせられた方法は、“移動無線通信システムにおける可変および固定順方向リンクレート制御のための方法および装置”と題された、本譲受人に譲渡された、米国特許出願6,205,129の中に詳細に開示されたそれと同様である。他の固定レートモードおよび固定モードへの、そしてそれからの移行に対する組み合わせられた方法はまた、同様に予期されることが可能であり、そして本発明の範囲内にある。
【００３６】
順方向リンク構造。
図２は順方向リンク構造２００を示す。以下に記述される期間(time duration)、チップ長さ、値の範囲は、例としてのみ与えられ、そして他の時間、チップ長さ、値の範囲は通信システムの操作(operation)に関する基礎となる原理から逸脱することなしに使用することが可能である。用語、“チップ”は、２個の可能な値を有するウォルシュ符号拡散信号に関する単位である。
【００３７】
順方向リンク２００は、フレームの用語で定義される。フレームは１６個のタイムスロット２０２を含み、各タイムスロット２０２は、１．６６ミリ秒のタイムスロット期間に対応する２０４８チップ長さであり、そしてしたがって２６．６６ミリ秒のフレーム期間である。各タイムスロット２０２は、各ハーフタイムスロット２０２ａ、２０２ｂの中に送信されたパイロットバースト２０４ａ、２０４ｂとともに、２個のハーフタイムスロット２０２ａ、２０２ｂに分割される。各パイロットバースト２０４ａおよび２０４ｂは９６チップ長さであり、その組み合わせられたハーフタイムスロット２０２ａ、２０２ｂのほぼ中間点におかれる。パイロットバースト２０４ａ、２０４ｂは、インデックス０をもったウォルシュカバーによってカバーされたパイロットチャネル信号を含む。順方向媒体アクセス制御チャネル（ＭＡＣ：medium access control channel）２０６は、各ハーフタイムスロット２０２のパイロットバースト２０４の直前および直後に送信される２個のバーストを形成する。ＭＡＣは、６４のウォルシュ符号によって直角にカバーされる６４個までの符号チャネルを含む。各符号チャネルは１および６４の間の値を有するＭＡＣインデックスによって識別され、そして独自の６４のカバーしているウォルシュ符号を識別する。逆方向電力制御チャネル（ＲＰＣ：reverse power control channel）は、各加入者局に対する逆方向リンク信号の電力を調整するために使用される。ＲＰＣは、５および６３の間のＭＡＣインデックスを有する利用可能なＭＡＣの１個に割り当てられる。順方向リンクトラフィックチャネルあるいは制御チャネルペイロードは、第１のハーフタイムスロット２０２ａの残りの部分２０８ａおよび、第２のハーフタイムスロット２０２ｂの残りの部分２０８ｂの中に送出される。トラフィックチャネルはユーザデータを搬送し、一方制御チャネルは制御メッセージを搬送し、そしてユーザデータもまた搬送することが可能である。制御チャネルは、７６．８ｋｂｐｓあるいは３８．４ｋｂｐｓのデータレートで２５６スロット期間として定義される周期で送信される。トラフィックとしてもまた参照される、用語、ユーザデータは、オーバーヘッドデータ以外の情報である。用語、オーバーヘッドデータは、通信システムにおいてエンティティの操作を可能とする情報、たとえば呼維持シグナリング(call maintenance signaling)、診断および報告情報等である。
【００３８】
パックされた許可チャネル(Packed Grant Channel)および自動再伝送要求。
逆方向リンク伝送をサポートするために、付加的なパケット許可（ＰＧ：packet grant）チャネルが順方向リンク内に必要とされる。上に言及されたＲＰＣチャネルの変調は、ＰＧチャネル命令をサポートするために、バイナリ位相シフトキーイング（ＢＰＳＫ）から直交位相シフトキーイング（ＱＰＳＫ）に変更される。
【００３９】
電力制御命令はアクセス端末に割り当てられたＲＰＣチャネルの同相ブランチ上に変調される。電力制御命令情報はバイナリであって、ここで電力制御ビット（“ｕｐ”）の第１の値はアクセス端末にアクセス端末の送信電力を増加することを命令し、そして電力制御ビット（“ｄｏｗｎ”）の第２の値はアクセス端末にアクセス端末の送信電力を減少することを命令する。図３に示したように“ｕｐ”命令は＋１として示され、“ｄｏｗｎ”命令は−１として示される。しかしながら他の値も使用可能である。
【００４０】
ＰＧチャネルはアクセス端末に割り当てられたＲＰＣチャネルの直交ブランチ上に通信される。ＰＧチャネル上に送信された情報は３値(ternary)である。図３に示されたように第１の値は＋１として表され、第２の値は０として表され、そして第３の値は−１として与えられる。情報は、アクセスポイントおよびアクセス端末の両者に対して次の意味を有している。
【００４１】
＋１    新しいパケットを送信するための認可は許可されていることを意味する、
０    新しいパケットを送信するための認可は許可されていないことを意味す  
る、
そして
−１    古いパケットを送信（再送信）するための認可は許可されていることを意
味する。
【００４２】
その中で、情報値０の伝送は信号エネルギーを必要としていない、上に記述されたシグナリングは、アクセスポイントがパケットを送信するための表示を送信している場合のみＰＧチャネルにエネルギーを割り当てることを許可している。アクセス端末のただ１個、あるいは少数が、期間中に逆方向リンク上に送信するための認可を許可されるために、ＰＧチャネルは逆方向リンク伝送情報を与えるために非常に僅かの電力を必要とする。したがってＲＰＣ電力割り当て方法の影響は最小とされる。ＲＰＣ電力割り当て方法は、“基地局チャネルに対する電力割り当てのための方法および装置”と題された、２０００年９月２５日に出願され、本譲受人に譲渡された米国特許出願シリアル番号09/669,950の中に開示されている。さらに、アクセス端末は、アクセス端末がデータ送信要求に続く応答を期待している場合のみ、あるいはアクセス端末が未決定のデータ伝送を有している場合に、直交する流れ上で３値決定を実行することを必要とされる。しかしながら、３値の選択は設計の選択であり、そして記述された一つのもの以外が代わりに使用されるかも知れないことは正しく評価されるであろう。
【００４３】
アクセス端末は、アクセス端末のアクティブセット内のすべてのアクセスポイントからのＲＰＣ／ＰＧチャネルを受信し、そして復調する。したがってアクセス端末は、アクセス端末のアクティブセット内のすべてのアクセスポイントに対するＲＰＣ／ＰＧチャネルの直交ブランチ上に運ばれたＰＧチャネル情報を受信する。アクセス端末は、１個の更新期間に亙る受信されたＰＧチャネル情報のエネルギーを濾波し、そして濾波されたエネルギーをしきい値のセットに対して比較するかも知れない。しきい値の適切な選択によって、伝送に対する認可を許可されていないアクセス端末は、０としてＰＧチャネルに割り当てられたゼロエネルギーを高い確率で復号する。
【００４４】
ＰＧチャネル上を運ばれた情報はさらに、自動再伝送要求に対する手段として使用される。以下に論じられるように、アクセス端末からの逆方向リンク伝送はいくつかのアクセスポイント上で受信されることが可能である。したがってＰＧチャネル上の逆方向リンク伝送に応じて送信された情報は、取り扱い、あるいは取り扱いをしていないアクセスポイントによって送信された場合に異なって判断される。
【００４５】
取り扱いアクセスポイントは、もしもアクセス端末からの前のパケットが正しく受信された場合は、新しいパケットを送信するためのアクセス端末の要求に応じて新しいパケットを送信するための認可を発生しそして送信する。したがってＰＧチャネル上のこれらの情報は肯定応答（ＡＣＫ）として役に立つ。取り扱いアクセスポイントは、もしもアクセス端末からの前のパケットが誤って受信された場合は、新しいパケットを送信するためのアクセス端末の要求に応じて、前のパケットを再送信するための認可を発生しそして送信する。
【００４６】
取り扱いをしていないアクセスポイントはアクセス端末からの前のパケットを正しく受信する場合は送信のための許可を示している値を発生しそして送信する。したがって、ＰＧチャネル上のこれらの情報はＡＣＫとして役に立つ。取り扱いをしていないアクセスポイントは、アクセス端末からの前のパケットを正しく受信する場合は、再送信のための許可を示している値を発生しそして送信する。したがってＰＧチャネルからのこれらの情報はＮＡＣＫとして役に立つ。その結果、分離したＡＣＫ／ＮＡＣＫチャネルは必要ない。
【００４７】
たとえば、若干のアクセスポイントがアクセス端末の伝送を正しく受信することに失敗したために、ＰＧチャネル上の情報が消失されあるいは誤って受信されたために、あるいは他の知られた理由のために、アクセス端末がＰＧチャネル上で矛盾した情報を受信することが可能である。アクセスネットワークの観点からは、いずれのアクセスポイントがアクセス端末の伝送を受信したかは重要ではないために、アクセス端末がＰＧチャネル上にいずれかのアクセスポイントからのＡＣＫとして解釈される情報を受信する場合は、例え取り扱いアクセス端末が再送信するための認可および古いパケットを送出することができる場合でも、アクセス端末は次の伝送許可において新しいパケットを送信する。
【００４８】
上述の順方向リンク２００は、ＩＳ‐８５６標準に従った通信システムの順方向リンクの変形である。この変形は順方向リンク構造への最小の影響を有していると信じられており、そして従って、 ＩＳ‐８５６標準への最小の変更を必要とする。しかしながら、考え方は、異なった順方向リンク構造に対しても適用可能であることは正しく評価されるであろう。従って、たとえば上述の順方向リンクチャネルは、順々にではなく同時に送信されるかも知れない。さらに、ＰＧチャネルたとえば分離したＰＧおよびＡＣＫ／ＮＡＣＫ符号チャネル内に与えられる情報の通信が可能な、任意の順方向リンクが代わりに使用されるかも知れない。
【００４９】
逆方向リンク。
上に論じたように、データ転送の品質および有効性は、ソース端末および宛先端末間のチャネルの条件によって異なる。チャネル条件は、干渉およびパスロスによって異なり、その両者は時間とともに変化する。その結果、逆方向リンク特性は干渉を軽減するための方法によって改善されることが可能である。逆方向リンク上においては、アクセスネットワーク内のすべてのアクセス端末は、同じ周波数（１個の周波数再使用セット）上で同時に送信するかも知れず、あるいはアクセスネットワーク内の複数のアクセス端末は同じ周波数（１個よりも大きい周波数再使用セット）上で同時に送信するかも知れない。この中に記述されたように、逆方向リンクは任意の周波数再使用を利用することが可能であることは注目される。その結果、いかなるアクセス端末の逆方向リンク伝送もいくつかの干渉ソースのもとにおかれる。最も支配的な干渉のソースは、
ともに同じセルからのおよび他のセルからの、他のアクセス端末からの、符号分割
多重化されたオーバーヘッドチャネルの伝送、
同じセル内のアクセス端末によるユーザデータの伝送、および
他のセルからのアクセス端末によるユーザデータの伝送。
【００５０】
符号分割多元接続（ＣＤＭＡ）通信システムにおける逆方向リンク特性の検討は、同じセルの干渉を除去することが、データ転送の品質および有効性における意味をもった改善を達成可能であることを示している。 ＩＳ‐８５６標準に従った通信システムにおける同じセル干渉は、逆方向リンク上に同時に送信するかも知れないアクセス端末の数を制限することによって軽減することが可能である。
【００５１】
操作に関する２個のモードすなわち、同時に送信するアクセス端末の数を制限すること、およびすべてのアクセス端末が送信することを許容することが同時に存在するために、アクセスネットワークはアクセス端末に対して、何れのモードが使用されるべきかを表示する必要がある。表示はアクセス端末に周期的な間隔で、すなわち順方向リンクチャネルのあらかじめ設定された部分に、たとえばすべての制御チャネルサイクルに通知される。あるいは、表示は変更の場合のみに順方向リンクチャネルたとえば逆電力制御チャネル内に放送メッセージによって通知される。
【００５２】
限定されたモードにおける操作の場合に、上に記述されたパックされた許可順方向リンクチャネルは、送信のための認可を要求しているアクセス端末に対して送信するための許可あるいは拒否を与えるために利用されることが可能である。
同じセルの干渉はまた、時間分割多重化トラフィックチャネルおよび逆方向リンクのオーバーヘッドチャネルによって、そして伝送を要求しているアクセス端末の何れが逆方向リンク期間中に、たとえばフレームあるいはタイムスロットに送信することを許可されるかを計画することによって軽減することが可能である。計画は、アクセスネットワークの部分たとえばマルチセクタセルを考慮に入れることが可能であり、そしてたとえばアクセスポイント制御器によって実行されることが可能である。このような計画方法は、同じセルの干渉のみを軽減する。したがって、代わりとして計画は、全アクセスネットワークを考慮に入れるかも知れず、そしてたとえば制御器１１０によって実行されることが可能である。
【００５３】
一つの期間中に送信することを許可されたアクセス端末の数は、逆方向リンク上の干渉に、そしてしたがって逆方向リンク上のサービスの品質（ＱｏＳ）に影響することは正しく評価されるであろう。その結果、送信することを許可されたアクセス端末の数は設計基準である。したがってこのような数は、変化する条件および／あるいはＱｏＳ上の要求条件に従って、予定する方法によって調整されることが可能である。
【００５４】
さらなる改善が他のセルの干渉を軽減することによって達成することが可能である。ユーザデータ伝送期間中の他のセルの干渉は、好機を捕らえての(opportunistic)伝送、マルチセクタセル内の各アクセス端末に対する最大送信電力およびユーザデータのレートの制御によって軽減される。“好機を捕らえての伝送”（および多数のユーザダイバーシティ）は、そこでは、決定された好機しきい値が超えられている期間中にアクセス端末の伝送を予定することを意味する。もしもその期間中の逆方向リンクチャネルの瞬間的な品質メトリック、その逆方向リンクチャネルの平均品質メトリック、およびユーザ間の識別を可能とする関数（以下に記述される切望関数(impatience function)）に従って決定されたメトリックが好機しきい値(opportunity threshold)を超える場合は、期間は好機であると考えられることが可能である。この方法はアクセス端末がユーザデータをより低い送信電力で送信し、そして／あるいはより少ない期間を使用してパケットの伝送を完了することを可能にする。より低い送信電力および／あるいはより少ない期間でのパケット伝送の完了は、マルチセクタセルのセクタにおける送信中のアクセス端末からの干渉の減少を、そしてその結果、隣接したセル内のアクセス端末に対するより低い全他セルの干渉をもたらす。あるいは、平均チャネル条件よりもより良いことは、端末がより高いデータレートにおいて送信するために利用可能な電力を用いることを可能にし、その結果アクセス端末と同じ他のセルへの干渉の原因は、同じ利用可能な電力を利用することによってより低いデータレートにおいて送信する原因となるであろう。
【００５５】
逆方向リンクチャネル上の干渉を軽減することに加えて、パスロスおよびパスロスの変動も、スループットを増加するために多数のユーザダイバーシティによって利用されることが可能である。“多数のユーザダイバーシティ”は、アクセス端末の中のチャネル条件のダイバーシティに起因する。ユーザ端末内のチャネル条件におけるダイバーシティは、アクセス端末のチャネル条件がより少ない電力あるいはより高いデータレートでの伝送を考慮に入れている、設定された基準を満足する期間においてアクセス端末の伝送を予定することを、その結果、逆方向リンク伝送のスペクトル効率を改善することを可能とする。このような基準は、アクセス端末の逆方向リンクチャネルの平均品質メトリックに関連してより優れているアクセス端末の逆方向リンクチャネルの品質メトリックを含む。
【００５６】
スケジューラの設計は、アクセス端末のＱｏＳを制御するために使用することが可能である。従って、たとえばスケジユーラをアクセス端末のサブセットの方向にバイアスすることによって、これらの端末によって報告された好機はサブセットに属していない端末によって報告された好機よりも低いかも知れないが、サブセットは伝送優先権を与えられることが可能である。同様な効果は以下に論じられる切望関数を用いることによって達成することが可能であることは正しく評価されるであろう。用語、サブセットはそのメンバーが少なくとも１個、しかし他のセットのすべてのメンバーまでを含むセットである。
【００５７】
好機を捕らえての伝送方法を使用してさえも、送信されたパケットはアクセスポイントにおいて誤ってそして／あるいは消失して受信されるかも知れない。用語、消失は必要とされる信頼度でメッセージの内容を決定することに対する失敗である。この誤った受信は他のセルの干渉の影響のために、アクセス端末が、アクセス端末の逆方向リンクチャネルに関する品質メトリックを正確に予測することが不可能であることに起因する。他のセルの干渉の影響は、異なったマルチセクタセルに属するセクタからのアクセス端末の伝送が非同期で短く、そして相関がないために定量化することが困難である。
【００５８】
誤ったチャネル推定を軽減し、そして干渉の平均化を与えるために自動再送要求（ＡＲＱ：Automatic Re-transmission reQuest）がそばしば使用される。ＡＲＱ法は、物理レイヤあるいはリンクレイヤにおいて、失われたあるいは誤って受信されたパケットを検出し、そして送信している端末からのこれらのパケットの再伝送を要求する。レイヤリングは、通信プロトコルを、そうでなければ結合を減らされた処理エンティティすなわちレイヤ間のよく定義された要約されたデータユニット内に、組織化するための方法である。プロトコルレイヤは、アクセス端末およびアクセスポイントの両者において実現される。オープンシステムインターコネクション（ＯＳＩ：Open Systems Interconnection）モデルに従って、プロトコルレイヤＬ１は、基地局および遠隔局間の無線信号の伝送および受信に備え、レイヤＬ２は、シグナリングメッセージの正しい伝送および受信に備え、そしてレイヤＬ３は通信システムに対する制御メッセージングに備える。レイヤＬ３は、セマンティックス(semantics)およびアクセス端末およびアクセスポイント間の通信プロトコルのタイミングに従ってシグナリングメッセージを開始しそして終了する。
【００５９】
ＩＳ‐８５６通信システムにおいては、エアインタフェースシグナリングレイヤＬ１は物理レイヤとして参照され、Ｌ２はリンクアクセス制御（ＬＡＣ：Link Access Control）レイヤあるいは媒体アクセス制御（ＭＡＣ：Medium Access Control）レイヤとして参照され、そしてＬ３はシグナリングレイヤとして参照される。上記シグナリングレイヤは、ＯＳＩモデルに従ってＬ４〜Ｌ７と付番され、そして輸送、セション、プレゼンテーション、およびアプリケーションレイヤとして参照される付加的なレイヤである。物理レイヤＡＲＱは、“通信システムにおける信号の急速再伝送のための方法および装置”と題された、２０００年４月１４日に出願され、本譲受人に譲渡された米国特許出願シリアル番号09/549,017の中に開示されている。リンクレイヤＡＲＱ法の一例は無線リンクプロトコル（ＲＬＰ：Radio Link Protocol）である。ＲＬＰは否定応答（ＮＡＫ）に基づいたＡＲＱプロトコルとして知られる誤り制御プロトコルのクラスである。このようなＲＬＰの一つは、“スペクトル拡散システムのためのデータサービスオプション：無線リンクプロトコルタイプ２”と題された、今後ＲＬＰ２として参照される、ＴＩＡ／ＥＩＡ／ＩＳ‐７０７‐Ａ．８の中に記述されている。最初および再送信された両パケットの伝送は好機を捕らえているかも知れない。
【００６０】
逆方向リンクチャネル。
図４ａ〜４ｃは逆方向リンクを示す。図４ａ〜４ｂに示したように、逆方向リンクはパイロットチャネル（ＰＣ）４１０、データ要求チャネル（ＤＲＣ）４０６、肯定応答チャネル（ＡＣＫ）４０８、パケット要求チャネル（ＰＲ）４１２、逆方向リンクトラフィックチャネル４０４、逆方向レート表示チャネル（ＲＲＩ）４０２を含む。
【００６１】
以下に述べるように、図４ａ〜４ｃおよび付属した文に記述されたチャネル構造によって発生される典型的な逆方向リンク波形は、１個のフレームが１６個のタイムスロットを含む構成であるフレームによって定義される。その結果、説明の目的に対しては、タイムスロットは期間の尺度としてとして取り入れられる。しかしながら期間の概念は任意の他のユニット、すなわち複数のタイムスロット、フレーム等に拡張可能であることは正しく評価されるであろう。
【００６２】
パイロットチャネル。
パイロットチャネル４１０は、コヒーレントな復調および逆方向リンクチャネル品質の推定に使用される。パイロットチャネル４１０は、‘０’のバイナリ値をもった変調されない(unmodulated)シンボルを含む。変調されないシンボルは、‘０’のバイナリ値をもったシンボルを＋１の値をもったシンボル上に、そして‘１’のバイナリ値をもったシンボルを−１の値をもったシンボル上にマップするブロック４１０（１）に与えられる。マップされたシンボルはブロック４１０（４）内のブロック４１０（２）によって発生されたウォルシュ符号でカバーされる。
【００６３】
データ要求チャネル。
データ要求チャネル４０６は、アクセス端末によってアクセスネットワークに選択された取り扱いセクタおよび順方向トラフィックチャネル上の要求されたデータレートを表示するために使用される。要求された順方向トラフィックチャネルデータレートは４ビットのＤＲＣ値を含む。ＤＲＣ値は４ビットのＤＲＣ値を、２直交(bi-orthogonal)符号語を発生するために符号化するブロック４０６（２）に与えられる。ＤＲＣ符号語は、符号語の各々を２回反復するブロック４０６（４）に与えられる。反復された符号語は、‘０’のバイナリ値をもったシンボルを＋１の値をもったシンボル上に、そして‘１’のバイナリ値をもったシンボルを−１の値をもったシンボル上にマップするブロック４０６（６）に与えられる。マップされたシンボルは、各々のシンボルをインデックスｉによって識別されたＤＲＣカバーに従ってブロック４０６（１０）によって発生されたウォルシュ符号Ｗｉ８でカバーするブロック４０６（８）に与えられる。各々の結果となるウォルシュチップはその後、そこでブロック４０６（１４）によって発生されたウォルシュ符号Ｗ８１６によってカバーされるブロック４０６（１２）に与えられる。
【００６４】
逆方向レート表示チャネル。
ＲＲＩチャネル４０２は、逆方向リンクパケット形式の表示を与える。パケット形式の表示は、もしも現在受信されているパケットからの軟判定が前に受信されたパケットからの軟判定とソフト結合されることが可能な場合は、決定に対してアクセスポイントを援助する情報をアクセスポイントに与える。上に論じたように、ソフト結合は前に受信されたパケットから得られた軟判定値を利用する。アクセスポイントは、復号されたパケットのビット位置におけるエネルギー（軟判定値）をしきい値に対して比較することによってパケットのビット値を決定する（硬判定）。もしもビットに対応するエネルギーがしきい値よりも大きい場合は、ビットは第１の値たとえば‘１’に指定され、そうでない場合はビットは第２の値たとえば‘０’に指定される。アクセスポイントはそこで、たとえば、ＣＲＣ検査を実行することによって、あるいは任意の他の等価なあるいは適切な方法によってパケットが正しく復号されたか否かを確認する。もしもこれらの試験が失敗した場合はパケットは消失したと考えられる。しかしながら、アクセスポイントは（もしもパケットに対する再伝送試行の数が最大の許容された試行よりもより少ない場合は）軟判定値を保存し、そしてアクセスポイントが次のパケットに関する軟判定値を取得するときは、それはそれらをしきい値と比較する前に、すでに受信されたパケットの軟判定値と結合することが可能である。
【００６５】
結合の方法はよく知られておりそしてその結果ここで記述される必要はない。一つの適切な方法は、“シンボル累積(Symbol Accumulation)を使用する時間効率のよい(Time Efficient)再伝送のための方法および装置”と題された、本譲受人に譲渡された、米国特許6,101,168の中に詳細に記述されている。
【００６６】
しかしながら、パケットを意味深くソフト結合するために、アクセス端末は結合されることが可能な情報を含むそのパケットを知らなければならない。ＲＲＩ値はたとえば３ビットを含むことが可能である。ＲＲＩの最も意味をもったビット（ＭＳＢ：most significant bit）は、パケットが最初の伝送であるか、あるいは再伝送であるか否かを示している。残りの２個のビットはパケットの符号レート、パケットを含むビットの数、および再伝送試行の数に従って決定されたような４個のパケットクラスの１個を表示する。ソフト結合を可能とするために、パケットの符号レート、パケットを含むビットの数は、伝送および再伝送試行中同じにとどまる。
【００６７】
ＲＲＩ値は符号語を与えるために２直交的に３ビットを符号化するブロック４０２（２）に与えられる。２直交的符号化の例は、表１に示される。
【００６８】
【表１】
2005536967.tif 000003
符号語は、符号語の各々を反復するブロック４０２（４）に与えられる。反復された符号語は、‘０’バイナリ値をもったシンボルを値＋１をもつシンボルの上に、そして‘１’バイナリ値をもったシンボルを値−１をもつシンボルの上にマップするブロック４０２（６）に与えられる。マップされたシンボルはさらに、各シンボルをブロック４０２（１０）によって発生されたウォルシュ符号でカバーするブロック４０２（８）に与えられ、そして結果となるチップはさらなる処理に対して与えられる。
【００６９】
４個以上のパケットクラスをサポートするために、ＲＲＩ値はたとえば、４ビットを含むことが可能である。ＲＲＩの最も意味をもったビット（ＭＳＢ）は、パケットが最初の伝送であるかあるいは再伝送であるか否かを表示する。残っている３個のビットはパケットクラスの一つを表示する。さらにパケットを含むビットの数は伝送および再伝送試行中同じにとどまる。
【００７０】
ＲＲＩ値は４ビットを１５ビットシンプレックス符号語に符号化するブロック４０２（２）に与えられる。シンプレックス符号化の例は、表２内に示される。
【００７１】
【表２】
2005536967.tif 000004
あるいはＲＲＩシンボルはレートの範囲を表示するために使用される。たとえば、ＲＲＩシンボルが４ビットを含む場合、８個の組み合わせの各々（たとえば0000、0001、0010、0011、0100、0101、0110、0111）はデータのレートの対を表示することが可能である。さらに、ＲＲＩの最も意味をもったビット（ＭＳＢ）はパケットが最初の伝送であることを表示する。
【００７２】
一度ＲＲＩシンボルが復号されると、復号器は、ＲＲＩシンボルに従って決定されたデータのレートの対のうち、第１のデータのレートに従った第１の仮説、およびＲＲＩシンボルに従って決定されたデータのレートの対のうち、第２のデータのレートに従った第２の仮説の二つの仮説に従って、盲目的なデータのレートの決定を実行する。同様に、８個の組み合わせ（たとえば、1000、1001、1010、1011、1100、1101、1110、1111）は、再送信されたパケットのデータのレートの対を表示する。
【００７３】
あるいは、一つのデータのレートに従ってデータを復号する一つの復号器と、そして第２のデータのレートに従ってデータを復号する第２の復号器との２個の並列な復号器が使用されるかも知れない。
間接的なデータのレートの表示に関する概念は、ビット組み合わせによって表示されるべきデータのレートの任意の数に拡張されることが可能であり、ただ一つの制限は復号されるべき次のデータが受信される前のデータのレートの数を復号するための復号器の能力である。したがって、もしも復号器がデータのレートのすべてを復号することが可能な場合は、ＲＲＩシンボルはパケットが新しい伝送であるかあるいは再伝送であるかを示す１ビットを含むことが可能である。
【００７４】
符号語のさらなる処理は以上に記述されたように進行する。
パケット準備チャネル。
ユーザデータを送信することを希望している各アクセス端末は、ユーザ端末の取り扱いセクタに、ユーザデータが将来のタイムスロットにおける送信に対して利用可能であること、および／あるいは将来のタイムスロット伝送は好機であることを表示する。タイムスロットは、もしも逆方向リンクチャネルタイムスロットの瞬時的な品質メトリックが、通信システムの設計によって異なるさらなる要素に従って決定された好機レベル（opportunity level）によって修正された、その逆方向リンクチャネルの平均品質メトリックを超え、しきい値を超える場合は、タイムスロットは好機にあると見られる。
【００７５】
逆方向リンクの品質メトリックは、逆方向パイロットチャネルに従って、たとえば式（１）に従って決定される。
（Ｆｉｌｔ＿ＴＸ＿Ｐｉｌｏｔ（ｎ））／（ＴＸ＿Ｐｉｌｏｔ（ｎ））                （１）
ここで、Ｔｘ＿Ｐｉｌｏｔ（ｎ）は、ｎ番目のタイムスロット期間中のパイロット信号のエネルギーであり、そして
Ｆｉｌｔ＿ＴｘＰｉｌｏｔ（ｎ）は、過去のｋスロットに亙り濾波されたパイロット信号のエネルギーである。スロットで表現された濾波器時定数は、逆方向リンクチャネルに関する適切な平均化を与えるために決定される。
【００７６】
したがって、式（１）は、瞬時的な逆方向リンクが平均逆方向リンクに関してどの程度より良いか、あるいはより悪いかを表示している。アクセス端末は、 Ｔｘ＿Ｐｉｌｏｔ（ｎ）およびＦｉｌｔ＿Ｔｘ＿Ｐｉｌｏｔ（ｎ）の測定を、そしてすべてのタイムスロットにおいて式（１）に従って品質メトリックの計算を実行する。計算された品質メトリックはそこで、将来におけるタイムスロットの設定された数に対して品質メトリックを推定するために使用される。設定されたタイムスロットの数は２である。このような品質推定のための方法は、“通信システムにおいて伝送制御を予定するための方法および装置”と題された、２００１年１０月１０日に出願され、本譲受人に譲渡された米国特許出願シリアル番号09/974,933に中に詳細に記述されている。
【００７７】
上に記述された逆方向品質メトリックを推定する方法は、例としてのみ与えられる。従って、他の方法たとえば、“通信システム特性を改善するために信号対干渉および雑音比を正確に予測するためのシステムおよび方法”と題された、１９９９年９月１３日に出願され、本譲受人に譲渡された米国特許6,426,971の中に詳細に開示されている、ＳＩＮＲ予測器を利用した方法を使用することが可能である。
【００７８】
好機レベルを決定するための要素は、たとえば最大の許容可能な伝送遅延ｔ（アクセス端末におけるパケットの到着からパケットの伝送まで）、アクセス端末Ｉにおける列をなしたパケットの数（送信列長さ）、および逆方向リンクｔｈ上の平均スループットを含む。上に挙げた要素は“切望”関数I（t,l,th）を定義する。切望関数I（t,l,th）は、入力パラメータに関する必要とされる影響に従って決定される。たとえば、アクセス端末の列への伝送のための最初のパケット到着に直ちに従えば、切望関数は低い値を有し、しかし、もしもアクセス端末の列内のパケットの数がしきい値を超える場合は値は増加する。切望関数は最大の許容可能な伝送遅延が到達された場合に最大値に到達する。列長さパラメータおよび送信スループットパラメータは同様に切望関数に影響を及ぼす。
【００７９】
切望関数に対する入力として上に挙げた３個のパラメータを使用することは説明の目的のみに対して与えられ、任意の数あるいは異なったパラメータさえも通信システムの設計考慮に従って使用することが可能である。さらに、切望関数は異なったユーザに対して異なることが可能であり、したがってユーザ識別を与える。さらに、切望関数以外の他の関数がユーザの中を識別するために使用することが可能である。したがってたとえば、各ユーザはそのユーザのＱｏＳに従って特質を割り当てられることが可能である。特質それ自身は切望関数の代わりに役立つかも知れない。あるいは、特質は切望関数の入力パラメータを修正するために使用されることが可能である。
【００８０】
切望関数I（t,l,th）は、式（２）に従って品質メトリックを修正するために使用することが可能である。
（（Ｆｉｌｔ＿ＴＸ＿Ｐｉｌｏｔ（ｎ））／（ＴＸ＿Ｐｉｌｏｔ（ｎ）））．Ｉ（ｔ，ｌ，ｔｈ）
（２）
式（２）から計算された値および、しきい値Ｔｊは、好機レベルを定義するために使用されることが可能である。適切な好機レベルのセットは、例として表３内に与えられる。好機レベルに関する、異なった数そして異なった定義が代わりに使用されるかも知れないことは正しく評価されるであろう。
【００８１】
【表３】
2005536967.tif 000005
適切な好機レベルは、符号化されそしてＰＲチャネル上に送信される。ＰＲチャネルは、もしも０、すなわち“送信すべきデータはない”以外の好機レベルが表示される場合は送信される。上に記述された４個の好機レベルは、２個の情報ビットとして示すことが可能である。ＰＲチャネルは、ＰＲチャネル受信期間中のいかなる誤りも、ユーザデータ伝送を要求していない、あるいは低い好機レベルを報告したアクセス端末を予定することの可能性に帰着するために、高い信頼性を有するアクセスポイントにおいて受信される必要がある。あるいは、このような誤りは高い好機レベルを報告したアクセス端末を予定することの失敗に帰着することが可能である。従って、この２個の情報ビットは十分な信頼性をもって送達される必要がある。
【００８２】
上に記述したように、好機の送信タイムスロットは、アクセスポイントおよびアクセス端末の両者が、それに対して好機レベルが推定されているあらかじめ設定された将来におけるタイムスロットの数に関する知識を有しているためにほのめかされている。アクセスポイントおよびアクセス端末のタイミングは同期しているために、アクセスポイントは、どのタイムスロットが、そのために送信端末が好機レベルを報告した、好機の送信タイムスロットであるかを決定することが可能である。しかしながら、好機の送信タイムスロットが可変であり、そしてアクセスポイントに対して明白に通知されている他の配置も使用可能であることは正しく評価されるであろう。
【００８３】
上に記述されたコンセプトに従ったＰＲチャネル４１２の値は、２ビット値として表現される。ＰＲ値は符号語に与えるためにその２ビットを符号化するブロック４１２（２）に与えられる。符号語は、符号語の各々を反復するブロック４１２（４）に与えられる。反復された符号語は、‘０’バイナリ値シンボルを＋１の値をもつシンボル上に、そして‘１’バイナリ値をもつシンボルを−１の値をもつシンボル上にマップするブロック４１２（６）に与えられる。マップされたシンボルはそこで、各シンボルをブロック４１２（１０）によって発生されたウォルシュ符号でカバーするブロック４１２（８）に与えられる。
【００８４】
ＡＣＫチャネル。
ＡＣＫチャネル４０８は、順方向トラフィックチャネル上で送信されたパケットが、成功のうちに受信されているか否かをアクセスネットワークに通知するために、アクセス端末によって使用される。アクセス端末は、アクセス端末に向けられた検出された前文と組み合わせられた、 すべての順方向トラフィックチャネルスロットに応じてＡＣＫチャネルビットを送信する。 ＡＣＫチャネルビットは、もしも順方向トラフィックチャネルパケットが成功のうちに受信されている場合は‘０’（ＡＣＫ）にセットされることが可能であり、そうでない場合は、ＡＣＫチャネルビットは‘１’（ＮＡＫ）にセットされることが可能である。順方向トラフィックチャネルパケットは、もしもＣＲＣ検査の場合は成功のうちに受信されたと考えられる。ＡＣＫチャネルビットはブロック４０８（２）内で反復され、そしてブロック４０８（４）に与えられる。ブロック４０８（４）は、‘０’バイナリ値をもったシンボルを＋１値をもったシンボル上に、そして‘１’バイナリ値をもったシンボルを−１の値をもったシンボル上にマップする。マップされたシンボルはそこで、各シンボルをブロック４０８（８）によって発生されたウォルシュ符号でカバーするブロック４０８（６）に与えられる。
【００８５】
アクセス端末がソフトハンドオフにある場合は、パケットは取り扱いをしていないセクタによってのみ復号することが可能である。
トラフィックチャネル。
上に定式化された逆方向リンク要求条件に沿って、トラフィックチャネル４０４は、１５３．６ｋｂｐｓから２．４Ｍｂｐｓに亙るデータレートでパケットを送信する。パケットはブロック４０４（２）内で、データレートによって異なるコーディングレートで符号化される。ブロック４０４（２）はコーディングレート１／３あるいは１／５をもつターボ符号化器を含む。ブロック４０４（２）の出力におけるバイナリシンボルのシーケンスは、ブロック４０４（４）によってインターリーブされる。ブロック４０４（４）はビット反転(bit-reversal)チャネルインターリーバを含むかも知れない。データレートおよび符号化器符号レートによって異なるインターリーブされた符号シンボルのシーケンスは、ブロック４０４（６）内において一定した変調シンボルレートを得るために、必要とされる回数だけ反復されそしてブロック４０４（８）に与えられる。ブロック４０４（８）は‘０’バイナリ値をもったシンボルを＋１の値をもつシンボル上に、そして‘１’バイナリ値をもったシンボルを−１の値をもつシンボル上にマップする。マップされたシンボルはそこで、各シンボルをブロック４０４（１２）によって発生されたウォルシュ符号でカバーする、ブロック４０４（１０）に与えられる。
【００８６】
逆方向リンクアーキテクチャ。
図４ｃはさらに逆方向リンクチャネルのアーキテクチャの例を示す。トラフィックチャネル４０４およびＲＲＩチャネル４０２はブロック４１４内で時間分割多重化され、そして利得調整ブロック４１６（１）に与えられる。利得調整の後に、時間分割多重化された信号は変調器４１８に与えられる。
【００８７】
パイロットチャネル４１０、データ要求チャネル（ＤＲＣ）４０６、肯定応答チャネル（ＡＣＫ）４０８、パケット要求チャネル（ＰＲ）４１２は、それぞれの利得調整ブロック４１６（２）〜４１６（５）に与えられる。利得調整の後にそれぞれのチャネルは変調器４１８に与えられる。
【００８８】
変調器４１８は到来するチャネル信号を結合し、そして結合されたチャネル信号を適切な変調方法、たとえば、バイナリ位相シフトキーイング（ＢＰＳＫ）、直交位相シフトキーイング（ＱＰＳＫ）、直交振幅変調（ＱＡＭ）、８位相シフトキーイング（８‐ＰＳＫ）、および当業界において通常に熟練した人に知られる他の変調方法に従って変調する。適切な変調方法は送信されるべきデータのレート、チャネル条件、および／あるいは通信システムに関する他の設計パラメータに従って変化するかも知れない。到来するチャネル信号に関する結合は、したがって変化するであろう。たとえば、選択された変調方法がＱＰＳＫである場合、到来チャネル信号は同相および直交信号上で結合されるであろうし、そしてこれらの信号は直交拡散されるであろう。チャネル信号の選択は、通信システムの設計パラメータに従って、たとえば同相および直交信号間のデータ負荷が平衡化されるようにチャネルを分配して同相および直交信号上で結合される。
【００８９】
変調された信号はブロック４２０において濾波され、ブロック４２２において搬送周波数にアップコンバートされ、そして伝送のために与えられる。
逆方向リンク波形。
図４ａ〜ｃおよび上の組み合わせられた文に記述されたチャネル構造によって発生された逆方向リンク５００は、図５ａに示されている。逆方向リンク５００は、フレームに換算して（によって）定義される。フレームは１６個のタイムスロット５０２を含む構造であり、各タイムスロット５０２は、１．６６ミリ秒のタイムスロット期間に対応する２０４８チップの長さであり、そしてしたがって２６．６６ミリ秒のフレーム期間である。各タイムスロット５０２は、各ハーフタイムスロット５０２ａ、５０２ｂの中に送信されたオーバーヘッドチャネルバースト５０４ａ、５０４ｂをもった２個のハーフタイムスロット５０２ａ、５０２ｂに分割される。各オーバーヘッドチャネルバースト５０４ａ、５０４ｂは、２５６チップ長さであり、そしてその組み合わせられたハーフタイムスロット５０２ａ、５０２ｂの終端に送信される。オーバーヘッドチャネルバースト５０４ａ、５０４ｂは、符号分割多重化されたチャネルを含む。これらのチャネルは、第１のウォルシュ符号によってカバーされたパイロットチャネル信号、第２のウォルシュ符号によってカバーされたデータ要求チャネル（ＤＲＣチャネル）、第３のウォルシュ符号によってカバーされたアクセスチャネル（ＡＣＫチャネル）、および第４のウォルシュ符号によってカバーされたパケット要求チャネル（ＰＲチャネル）を含む。
【００９０】
逆方向リンクトラフィックチャネルペイロードおよび、逆方向レート表示（ＲＲＩ）チャネルは、第１のハーフタイムスロット５０２ａの残りの部分５０８ａおよび、第２のハーフタイムスロット５０２ｂの残りの部分５０８ｂに送出される。オーバーヘッドチャネルバースト５０４ａ、５０４ｂ間のタイムスロット５０２、および逆方向リンクトラフィックチャネルペイロード、およびＲＲＩチャネル５０８ａ、５０８ｂの分割は、オーバーヘッドチャネルバースト５０４ａ、５０４ｂ期間中のライズオーバーサーマル(rise over thermal)、データスループット、リンクバジェット、および他の適切な基準に従って決定される。
【００９１】
図５ａに示されたように、時間分割多重化されたＲＲＩチャネルおよびトラフィックチャネルペイロードは、同じ電力レベルで送信される。ＲＲＩチャネルおよびトラフィックチャネル間の電力配分は、ＲＲＩチャネルに割り当てられたチップの数によって制御される。チップの数は、送信されたデータレートの関数としてＲＲＩチャネルに割り当てられ、以下に説明されるであろう。
【００９２】
逆方向リンクチャネルを結合する他の方法、およびしたがって結果となる逆方向リンク波形は、通信システムの設計基準に従って可能であることは正しく評価されるであろう。したがって、高い程度の信頼性をもって復号される必要がある、上に記述されたオーバーヘッドチャネルの一つ、ＲＲＩチャネルは残っているオーバーヘッドチャネルから分割される。したがって、残っているオーバーヘッドチャネルはＲＲＩチャネルに干渉を与えない。
【００９３】
ＲＲＩチャネルの復号の信頼性をさらに改善するために、ＲＲＩチャネルに割り当てられたチップの数は一定に保たれる。このことは次に、トラフィックチャネル部分とは異なった電力レベルにあるトラフィック／ＲＲＩチャネルタイムスロット５０８ａ、５０８ｂのＲＲＩチャネル部分に送信されるべき、異なった電力を要求する。このような考慮は、復号器が、ＲＲＩチャネル部分の番号が固定されているという知識およびＲＲＩチャネルが送信された電力に関する知識を利用することから来る、改善された復号特性によって妥当なものとされることが可能である。
【００９４】
ＲＲＩチャネルおよびトラフィックチャネルは、図５ｂに示されるように異なった符号により分離されて、たとえば、異なったウォルシュ符号によってカバーされることによって同時に送信される。したがって、各ハーフタイムスロット５０２は、オーバーヘッドチャネル部分５０４、およびＲＲＩおよびトラフィックチャネル部分５０８を含む。オーバーヘッドチャネル部分５０４は、ＤＲＣ５１０、ＡＣＫ５１２、ＰＣ５１４、およびＰＲ５１６を含む。オーバーヘッドチャネルは異なった符号によって、たとえば、異なったウォルシュ符号によってカバーされることによって識別される。ＲＲＩ５１８は、トラフィックチャネルペイロード５２０と異なったウォルシュ符号でカバーされる。分離したＲＲＩチャネルおよびトラフィックチャネル間に割り当てられた電力は、送信されているデータレートに従って決定される。
【００９５】
オーバーヘッドチャネルおよびトラフィックチャネルは、図５ｃに示されたように、時間分割モードを使用して送信される。従って、各ハーフタイムスロット５０２は、オーバーヘッドチャネル部分５０４およびトラフィックチャネル部分５０８を含む。オーバーヘッドチャネル部分５０４は、ＤＲＣ５１０、ＡＣＫ５１２、ＰＣ５１４、ＰＲ５１６、およびＲＲＩ５１８を含む。オーバーヘッドチャネルは、異なった符号によって、たとえば、異なったウォルシュ符号によってカバーされることによって識別される。上に記述されたことの利点は簡素であることである。
【００９６】
上に記述された考え方は、異なった波形に対して適用可能であることは正しく評価されるであろう。従って、たとえば、波形は、パイロット信号バーストを含むことを必要とせず、そしてパイロット信号は、連続的あるいはバースト的であることが可能な分離したチャネル上に送信されることが可能である。
【００９７】
逆方向リンクデータ伝送。
論じられたように、逆方向リンク伝送は少なくとも１個のアクセス端末からある期間中に生起する。説明の目的のみのために、逆方向リンクデータ伝送は以下に記述されるようにタイムスロットに等しい期間を使用する。逆方向リンク伝送は、ユーザデータを運ぶためのアクセス端末の要求に応じてアクセスネットワーク内のエンティティによって予定される。アクセス端末は、逆方向リンク上のその期間中のアクセス端末のチャネルの品質メトリック、アクセス端末の平均逆方向リンク品質メトリック、および切望関数に従って予定される。
【００９８】
逆方向リンクデータ伝送の一つの例は、図６に関して示され、そして説明されるであろう。図６は、一つのアクセス端末に対する逆方向リンクデータ伝送の取り決めを、この概念を複数のアクセス端末に拡張するための理解のためのみに対して示す。さらに、取り扱いアクセスポイントのみが示される。前の記述から取り扱いをしていない端末からのＡＣＫおよびＮＡＣＫ伝送が如何に逆方向リンクデータ伝送に影響するかは理解されている。
【００９９】
アクセス手順、取り扱いセクタの選択、および他の呼セットアップ手順は、上に記述されたようにＩＳ‐８５６標準に従った通信システムに関すると同様な機能に基づいているために、それらは繰り返されない。送信されるべき受信されたデータを有するアクセス端末（図示せず）は、アクセス端末の逆方向リンク品質メトリックおよび切望関数の値を求め、そして好機レベル（ＯＬ１）を発生する。アクセス端末はさらにパケットデータ形式を発生しそしてデータレートを推定する。論じたように、パケットデータ形式は、パケットを最初のものあるいは再伝送されたものとして明確に示している。以下にさらに詳細に示されるように、レート決定方法は、アクセス端末の最大送信電力、パイロットチャネルに対して割り当てられた送信電力、および送信されるべきデータの量に従って、最大のサポート可能なレートを決定する。アクセス端末はそこで、パケットデータ形式、およびＲＲＩチャネル上で要求されたデータレート、そしてスロットｎにおける逆方向リンクのＰＲチャネル上の好機レベルを通知する。
【０１００】
アクセスネットワークの取り扱いアクセスポイント（図示せず）は逆方向リンクを受信し、そしてスロットｎ内に含まれた情報を復号する。取り扱いアクセスポイントはそこで、スケジューラ（図示せず）に、好機レベル、パケットデータ形式、およびデータを送信するための認可を要求しているすべてのアクセス端末に関する要求されたデータレートを与える。スケジューラは、スケジューリングの規則に従って伝送のためのパケットを予定する。論じられたように、スケジューリングの規則は、必要とされたＱｏＳあるいはデータ分配公正度(data distribution fairness)を達成する一方で、アクセス端末間の相互逆方向リンク干渉を最小とすることを試みる。規則は次のとおりである。
【０１０１】
i．  送信に対する優先権は最高の好機レベルを報告しているアクセス端末に与えられる。
ii．  いくつかのアクセス端末が、同じ好機レベルを報告している場合は、優先権
は、より低い送信されたスループットを有するアクセス端末に与えられる。
【０１０２】
iii．  いくつかのアクセス端末が、規則(i)および(ii)を満足する場合は、アクセス端末はランダムに選択される。そして
送信に対する認可は、逆方向リンク利用を最大とするために、報告された好機レベルが低い場合であっても、伝送に対して利用可能なデータを有するアクセス端末の一つに与えられる。
【０１０３】
予定の決定がなされる後は取り扱いアクセスポイントは予定の決定を、ＰＧチャネル上に送信するための認可を要求しているアクセス端末の各々に対して送信する。
アクセス端末はＰＧチャネルを受信し、予定の決定ＳＤ０を復号し、そしてパケット伝送を中止する。アクセス端末は送信されるべきデータを有しているために、アクセス端末は再びアクセス端末の逆方向リンク品質メトリックおよび、切望関数の値を求め、今回は好機レベル（ＯＬ２）を発生する。アクセス端末はさらにパケットデータ形式を発生しそしてそのデータレートを推定し、そしてパケットデータ形式および要求されるデータレートをＲＲＩチャネル上に、そして好機レベルをスロットｎ＋１内の逆方向リンクのＰＲチャネル上に与える。
【０１０４】
取り扱いアクセスポイントは、逆方向リンクを受信し、そしてスロットｎ＋１に含まれた情報を復号する。取り扱いアクセスポイントはそこで、好機レベル、パケットデータ形式、およびデータを送信するための認可を要求しているすべてのアクセス端末に関する要求されたデータレートをスケジューラに与える。予定の決定がなされる後に、取り扱い中のアクセスポイントは予定の決定を、ＰＧチャネル上に送信するための認可を要求しているアクセス端末の各々に対して送信する。図７に示されるように、取り扱いアクセスポイントはアクセス端末に、新しいパケットを送信するための認可を許可している予定の決定ＳＤ＋１を送信する。
【０１０５】
アクセス端末はＰＧチャネルを受信しそして予定の決定ＳＤ＋１を復号する。アクセス端末はアクセス端末の逆方向リンク品質メトリックおよび切望関数の値を計算する。図３に示されたように、アクセス端末は好機レベルは０に等しいすなわち伝送に対して利用可能なデータはないと決定した。したがって、アクセス端末はタイムスロットｎ＋２内にＰＲチャネルを送信しない。同様に、アクセス端末はスロットｎ＋３に対して０に等しい好機レベルを決定した。したがって、アクセス端末は好機のタイムスロットｎ＋３内に、逆方向リンクトラフィックチャネルのペイロード部分にユーザデータを送信する。
【０１０６】
タイムスロットｎ＋４において、アクセス端末は送信されるべきデータを有する。アクセス端末は、アクセス端末の逆方向リンク品質メトリックおよび切望関数の値を計算し、そして好機レベル（ＯＬ２）を発生する。アクセス端末はさらにパケットデータ形式を発生しそしてそのデータレートを推定し、そしてパケットデータ形式および要求されたデータレートをＲＲＩチャネル上に、そして好機レベルを逆方向リンクのＰＲチャネル上でスロットｎ＋４内に与える。
【０１０７】
取り扱いアクセスポイントは逆方向リンクを受信し、そしてスロットｎ＋４内に含まれる情報を復号する。取り扱いアクセスポイントはそこで、好機レベル、パケットデータ形式、およびデータを送信するための認可を要求しているすべてのアクセス端末に関する要求されたデータレートをスケジューラに与える。予定の決定がなされている後に、取り扱いアクセスポイントはＰＧチャネル上に送信するための認可を要求しているアクセス端末の各々に対して予定の決定を送信する。図７に示されたように、スロットｎ＋３内の逆方向リンク上に送出されたペイロードはアクセスネットワークにおいて正しく復号された。したがって、取り扱いアクセスポイントは新しいパケットを送信するための認可をアクセス端末に許可している予定の決定ＳＤ＋１を送信する。
【０１０８】
取り扱いアクセスポイントのみが送信しているアクセス端末から逆方向リンクを受信しそして復号し、したがって、取り扱いアクセスポイントスケジューラは、予定の決定を取り扱いアクセスポイントによって与えられた情報上で単独に行う。アクセスネットワークの他のアクセスポイントもまた送信しているアクセス端末からの逆方向リンクを受信しそして復号し、そしてペイロードが成功のうちに復号されたか否かの情報を取り扱いアクセスポイントに与える。したがって、もしもアクセスネットワークのアクセスポイントの何れかがペイロードを成功のうちに復号した場合は、取り扱いアクセスポイントはＰＧチャネル上にＡＣＫを表示し、したがって、不必要な再伝送を防止している。ペイロード情報を受信したすべてのアクセスポイントは、軟判定復号を実行するために集められたエンティティにペイロード情報を送出する。中央復号器はそこで、ペイロード復号が成功したか否かを取り扱いアクセスポイントに通知する。
【０１０９】
アクセス端末はＰＧチャネルを受信し、そして予定の決定ＳＤ＋１を復号する。アクセス端末はアクセス端末の逆方向リンク品質メトリックおよび切望関数の値を求める。図６に示されたように、アクセス端末は好機レベルは０に等しい、すなわち送信に対して利用可能なデータはないと決定した。したがって、アクセス端末はタイムスロットｎ＋５においてＰＲチャンネルに送信しない。同様にアクセス端末は、スロットｎ＋６に対する好機レベルを０に等しいと決定した。したがって、アクセス端末は好機のタイムスロットｎ＋６の中で、逆方向リンクトラフィックチャネルのペイロード部分にユーザデータを送信する。
【０１１０】
逆方向リンク上でスロットｎ＋３内に送出されたペイロードを正しく復号することに失敗したアクセスネットワークに対する場合は図７に示される。スロットｎ＋３内の逆方向リンク上に送出されたペイロードの再伝送を要求するために、取り扱いアクセスポイントは、古いパケットを再送信するための認可をアクセス端末に許可している予定の決定ＳＤ−１をＰＧ上に通知する。
【０１１１】
アクセス端末はＰＧチャネルを受信し、そして予定の決定ＳＤ−１を復号する。アクセス端末は、アクセス端末の逆方向リンク品質メトリックおよび切望関数の値を求める。図７に示されたように、アクセス端末は、好機レベルを０に等しい、すなわち伝送に対して利用可能なデータはないと決定した。したがって、アクセス端末はタイムスロットｎ＋５においてＰＲチャネルを送信しない。同様に、アクセス端末はスロットｎ＋６に対して好機レベルを０に等しいと決定した。したがって、アクセス端末は好機のタイムスロットｎ＋６において逆方向リンクトラフィックチャネルのペイロード部分にユーザデータを送信する。
【０１１２】
タイムスロットｎ＋７において、アクセス端末は送信されるべきデータを有している。アクセス端末はアクセス端末の逆方向リンク品質メトリックおよび切望関数の値を求め、そして好機レベル（ＯＬ１）を発生する。アクセス端末はさらに、パケットデータ形式を発生しそしてそのデータレートを推定し、そしてパケットデータ形式および要求されたデータレートをＲＲＩチャネル上に、そして好機レベルを逆方向リンクのＰＲチャネル上のスロットｎ＋７に与える。
【０１１３】
取り扱いアクセスポイントは逆方向リンクを受信しそしてスロットｎ＋６内に含まれた情報を復号する。取り扱いアクセスポイントはそこで、好機レベル、パケットデータ形式、およびデータを送信するための認可を要求しているすべてのアクセス端末に関する要求されたデータレートをスケジューラに与える。予定の決定がなされている後に、取り扱いアクセスポイントはＰＧチャネル上への送信のための認可を要求しているアクセス端末の各々に対して予定の決定を送信する。図７に示したように、逆方向リンク上のスロットｎ＋６内に送出された再送信されたペイロードはアクセスネットワークにおいて正しく復号された。したがって、タイムスロットｎ＋７内に送出されたアクセス端末の好機レベルに応じて、取り扱いアクセスポイントは新しいパケットを送信するための認可をアクセス端末に許可している予定の決定ＳＤ＋１を送信する。
【０１１４】
取り扱いアクセスポイントは、それらの最近に受信された伝送に対する要求に従ってアクセス端末を予定することが可能であることは、正しく評価されるであろう。
パケットアクセスネットワークはいくつかの再送信が試行される場合においてさえもパケットを受信しないことが可能であることは正しく評価されるであろう。過度の再伝送試行を防止するために、通信システムは再伝送試行の設定された数の後に（固執期間）、再伝送試行を断念することが可能である。失われたパケットはそこで、異なった方法、たとえば無線リンクプロトコル（ＲＬＰ）によって取り扱われる。
【０１１５】
逆方向リンク電力制御。
論じたように、セクタ内の１個のアクセス端末のみが逆方向リンク上にデータトラフィックを送信している。ＣＤＭＡ通信システムにおいてはすべての端末は同じ周波数上に送信しているために、各送信しているアクセス端末は隣接したセクタ内のアクセス端末に対する干渉のソースとして作用する。このような逆方向リンク上の干渉を最小とし、そして容量を最大とするために、各アクセス端末に対するパイロットチャネルの送信電力は２個の電力制御ループによって制御される。残りのオーバーヘッドチャネルに関する送信電力はそこで、パイロットチャネルの送信電力の一部分として決定される。トラフィックチャネルの送信電力は、オーバーヘッドおよびトラフィック伝送間隔間のライズオーバーサーマルディフェレンシャル(rise over thermal differential)によって訂正された、与えられたデータレートに対するトラフィック対パイロット電力比として決定される。ライズオーバーサーマルは、アクセス端末によって測定されたように受信機ノイズフロアおよび全受信電力間の差である。
【０１１６】
パイロットチャネル電力制御。
パイロットチャネル電力制御ループは、“ＣＤＭＡセルラ移動電話システムにおける伝送電力を制御するための方法および装置”と題された、本譲受人に譲渡され、参照によってこの中に組み込まれた、米国特許5,056,109の中に詳細に開示されたＣＤＭＡシステムに関するそれと類似している。他の電力制御方法も予期され、そして本開示の範囲内にある。
【０１１７】
第１の電力制御ループ（より外側のループ）は、望まれる特性のレベル、たとえば、ＤＲＣチャネル消失レートが維持されるようにセットポイントを調整する。セットポイントは、アクセスポイントにおける選択ダイバーシティに従って２フレームごとに更新される。すなわちセットポイントは、測定されたＤＲＣ消失レートがアクセス端末のアクティブセット内のすべてのアクセスポイントにおいてしきい値を超える場合のみ増加され、そしてＤＲＣ消失レートがアクセスポイントのいずれの点においてもしきい値以下である場合減少される。
【０１１８】
第２の電力制御ループ（内側のループ）は、逆方向リンク品質メトリックがセットポイントに維持されるようにアクセス端末の送信電力を調整する。品質メトリックは、チップ当たりのエネルギー対雑音および干渉比(Ecp/Nt：energy − per − chip − to − noise − plus − interference ratio)を含み、そして逆方向リンクを受信しているアクセスポイントにおいて測定される。したがって、セットポイントはまた、Ecp/Ntにおいて測定される。アクセスポイントは測定されたEcp/Ntを電力制御セットポイントと比較する。もしも測定されたEcp/Ntがセットポイントよりもより大きい場合は、アクセスポイントはアクセス端末の送信電力を減少するために、アクセス端末に対して電力制御メッセージを送信する。あるいは、もしも測定されたEcp/Ntがセットポイントの下にある場合は、アクセスポイントは、アクセス端末の送信電力を増加するために、アクセス端末に対して電力制御メッセージを送信する。電力制御メッセージは、１個の電力制御ビットで実現される。電力制御ビットに対する第１の値（“上げる”）はアクセス端末にアクセス端末の送信電力を増加することを命令し、そして低い値（“下げる”）はアクセス端末にアクセス端末の送信電力を減少することを命令する。
【０１１９】
各アクセスポイントと通信しているすべてのアクセス端末に対する電力制御ビットは、順方向リンクのＲＰＣ上に送信される。
残っているオーバーヘッドチャネル電力制御。
一度タイムスロットに対するパイロットチャネルの送信電力が電力制御ループの動作によって決定されれば、残っているオーバーヘッドチャネルの各々に関する送信電力は、パイロットチャネルの送信電力に対する特定のオーバーヘッドチャネルの送信電力の比として決定される。各オーバーヘッドチャネルに対する比は、シミュレーション、研究所実験、フィールド試験および他の工学的な方法に従って決定される。
【０１２０】
トラフィックチャネル電力制御。
トラフィックチャネルに関する必要とされる電力制御はまたパイロットチャネルに関する送信電力に従って決定される。必要とされるトラフィックチャネル電力は、次の公式を使用して計算される。
Pt＝Ppilot．G(r)．A          （３）
ここで、 Ptはトラフィックチャネルの送信電力であり、
Ppilotはパイロットチャネルの送信電力であり、
G(r)は、与えられたデータレートｒに対するトラフィック対パイロット送信電力比であり、そして。
【０１２１】
Aは、オーバーヘッドおよびトラフィック伝送間隔間のライズオーバーサーマル（ＲＯＴ）ディフェレンシャルである。
アクセスポイントにおけるAの計算に対して必要とされる、オーバーヘッド伝送間隔、（ＲＯＴoverhead）およびトラフィック伝送間隔（ＲＯＴtraffic）内のＲＯＴの測定は、“逆方向リンクローディング推定のための方法および装置”と題された、本譲受人に譲渡された、米国特許6,192,249の中に開示されている。一度、オーバーヘッドおよびトラフィック伝送間隔の両者内の雑音が測定される場合は、Aは次の公式を使用して計算される。
【０１２２】
A＝ＲＯＴtraffic−ＲＯＴoverhead        （４）。
計算されたＡはそこで、アクセス端末に送信される。Ａは、ＲＡチャネル上に送信される。Ａの値はそこで、ＰＧチャネル上で、アクセスポイントから受信されたＡＣＫ／ＮＡＫに従って決定された逆方向リンクパケット誤り率（ＰＥＲ）に従って、決定されたＰＥＲが与えられたパケットに関する最大の許容された伝送の数の中に維持されるように、アクセス端末によって調整される。逆方向リンクパケット誤り率は、逆方向リンクパケットのＡＣＫ／ＮＡＣＫに従って計算される。Ａの値は、もしも１個のＡＣＫが、最大Ｍ個の再伝送試行のＮ個の再伝送試行の中に受信されている場合は第１の設定された量だけ増加される。同様に、もしもＡＣＫが最大Ｍ個の再伝送試行のＮ個の再伝送試行の中に受信されていない場合は第２の設定された量だけ減少される。
【０１２３】
あるいは、Ａは、加入者局において式（３）によって与えられるＲＯＴディフェレンシャルの推定を与える。Ａの初期値はシミュレーション、研究所実験、フィールド試験および他の適切な工学的方法に従って決定される。Ａの値はそこで、逆方向リンクパケット誤り率（ＰＥＲ）に従って、決定されたＰＥＲが与えられたパケットに関する伝送の最大の許容された数内に維持されるように調整される。逆方向リンクパケット誤り率は、上に記述されたように逆方向リンクパケットのＡＣＫ／ＮＡＣＫに従って決定される。Ａの値はもしもＡＣＫが最大Ｍ個の再伝送試行のＮ個の再伝送試行の中に受信されている場合は第１の決定された量だけ増加される。同様に、Ａの値は、もしもＡＣＫが最大Ｍ個の再伝送試行のＮ個の再伝送試行の中に受信されていない場合は、第２の決定された量だけ減少される。
【０１２４】
式（３）から、トラフィックチャネル送信電力はデータレートｒの関数であることになる。さらに、アクセス端末は送信電力の最大量（Ｐmax）内に制約される。その結果、アクセス端末は最初にどのくらい多くの電力が利用可能であるかをＰmaxおよび決定されたＰpilotから決定する。アクセス端末はそこで、送信されるべきデータの量を決定し、そして利用可能な電力およびデータの量に従ってデータレートｒを選択する。アクセス端末はそこで、推定された雑音ディフェレンシャルＡの影響が利用可能な電力を超過することに帰着しなかったか否かを決定するために、式（３）の値を計算する。もしも利用可能な電力が超過される場合は、アクセス端末はデータレートｒを減少しそして処理を繰り返す。
【０１２５】
アクセスポイントは、アクセス端末が送信することが可能な最大のデータレートを、ＲＡチャネルを経由してアクセス端末に最大の許容された値G(r)．Aを与えることによって制御することが可能である。アクセス端末はそこで、逆方向リンクトラフィックチャネルに関する送信電力の最大量、逆方向リンクパイロットチャネルの送信電力を決定し、そして送信されることが可能な最大のデータレートを計算するために式（３）を使用する。
【０１２６】
ＲＲＩチャネル電力制御。
上に記述したように、オーバーヘッドチャネルの送信電力は、パイロットチャネルの送信電力に対する特定のオーバーヘッドチャネルの送信電力の比として決定される。
トラフィック／ＲＲＩチャネルタイムスロットのＲＲＩ部分を、トラフィック部分と異なった電力レベルで送信する必要性を避けるために、タイムスロットのトラフィック／ＲＲＩチャネル部分は同じ電力で送信される。ＲＲＩチャネルに対する正しい電力配分を達成するために、送信されたデータレートの関数として異なった数のチップがＲＲＩチャネルに割り当てられている。
【０１２７】
ウォルシュカバーされた符号語を含む設定されたチップの数の正しい復号を保証するために、必要とされる電力を決定することが可能である。あるいは、もしも伝送に対して必要なトラフィック／ペイロードに対する電力が既知であり、そしてトラフィック／ＲＲＩチャネルタイムスロットのＲＲＩ部分が同じ電力で送信される場合は、信頼できるＲＲＩチャネル復号に対する適切なチップの数は決定することが可能である。したがって、一度データレート、そしてその結果トラフィック／ＲＲＩチャネルタイムスロットの伝送に対する電力が決定される場合は、それはＲＲＩチャネルに割り当てられたチップの数である。アクセス端末は、ＲＲＩチャネルビットを発生し、シンボルを得るためにビットを符号化し、そしてシンボルとともにＲＲＩチャネルに割り当てられたチップの数を満たす。もしもＲＲＩチャネルに割り当てられたチップの数がシンボルの数よりもより多い場合は、シンボルはＲＲＩチャネルに割り当てられたすべてのチップが満たされるまで繰り返される。
【０１２８】
あるいは、ＲＲＩチャネルはトラフィックチャネルペイロードで時間分割多重化されそしてトラフィック／ＲＲＩチャネルタイムスロットのＲＲＩ部分は固定された数のチップを含む。さらに、ＲＲＩチャネルの電力レベルはパイロットチャネルの送信電力に従って決定されず、しかし必要とされるＱｏＳに従って固定された値を指定され、そしてアクセスポイントによって各アクセス端末に通知される。ＲＲＩチャネル受信に関する望まれる品質メトリックに対する固定された値はシミュレーション、研究所実験、フィールド試験、および他の工学的方法に従って決定される。
【０１２９】
アクセス端末８００は図８に示される。順方向リンク信号は、アンテナ８０２によって受信され、そして受信機を含むフロントエンド８０４に発送される。受信機はアンテナ８０２によって与えられた信号を濾波し、増幅し、復調し、そしてディジタイズする。ディジタイズされた信号は、復調されたデータを復号器８０８に与える復調器（ＤＥＭＯＤ）８０６に与えられる。復号器８０８はアクセス端末においてなされた信号処理機能の逆を実行し、そして復号されたユーザデータをデータシンク８１０に与える。復号器はさらに、制御器８１２にオーバーヘッドデータを与えて、制御器８１２と通信する。制御器８１２はさらに、アクセス端末８００の操作に関する通常の制御、たとえばデータ符号化、電力制御を与えるために、アクセス端末８００を含む他のブロックと通信する。制御器８１２は、たとえば、処理装置および、処理装置と結合されたそして処理装置が実行可能な命令のセットを含む、記憶媒体を含むことが可能である。
【０１３０】
アクセス端末に対して送信されるべきユーザデータは、制御器８１２の命令によってデータソース８１４によって符号化器８１６に与えられる。符号化器８１６はさらに制御器８１２によってオーバーヘッドデータを与えられる。符号化器８１６はデータを符号化し、符号化されたデータを変調器（ＭＯＤ）８１８に与える。符号化器８１６および変調器８１８におけるデータ処理は上の文および図内に記述されたように逆方向リンク発生に従って実行される。処理されたデータはそこで、フロントエンド８０４内の送信機に与えられる。送信機は逆方向リンク信号を変調し、濾波し、増幅し、そしてアンテナ８０２を経て逆方向リンク上を空間に送信する。
【０１３１】
制御器９００およびアクセス端末９０２が図９に示されている。データソース９０４によって発生されたユーザデータは、インタフェースユニットたとえば、パケットネットワークインターフェース、ＰＳＴＮ（図示せず）を経由して制御器９００に与えられる。論じたように、制御器９００は、アクセスネットワークを形成する複数のアクセス端末とインタフェースする（簡素化のために、図９においてはただ１個のアクセス端末９０２が示される）。ユーザデータは複数のセレクタエレメントに与えられる（簡素化のために、図９においてはただ１個のセレクタエレメント９０２が示される）。１個のセレクタエレメントは、データソース９０４およびデータシンク９０６、および呼制御処理装置９１０の制御下にある１個あるいはそれ以上の基地局間のユーザデータ交換を制御するために割り当てられる。呼制御処理装置９１０はたとえば、処理装置および処理装置と結合されそして処理装置が実行可能な命令のセットを含む記憶媒体を含むことが可能である。図９に示されたようにセレクタエレメント９０２は、アクセス端末９０２によって取り扱われるアクセス端末（図示せず）に、送信されるべきユーザデータを含むデータ列９１４にユーザデータを与える。スケジューラ９１６の制御に従ってユーザデータはデータ列９１４によってチャネルエレメント９１２に与えられる。チャネルエレメント９１２は、ユーザデータをＩＳ‐８５６標準に従って処理し、そして処理されたデータを送信機９１８に与える。データはアンテナ９２２を経て順方向リンク上に送信される。
【０１３２】
アクセス端末（図示せず）からの逆方向リンク信号は、アンテナ９２４において受信され、そして受信機９２０に与えられる。受信機９２０は、信号を濾波し、増幅し、復調し、そしてディジタイズし、そしてディジタイズされた信号をチャネルエレメント９１２に与える。チャネルエレメント９１２は、アクセスポイントにおいて行われた信号処理機能の逆を実行し、そして復号されたデータをセレクタエレメント９０８に与える。セレクタエレメント９０８は、ユーザデータをデータシンク９０６に、そしてオーバーヘッドデータを呼制御処理装置９１０に発送する。
【０１３３】
フローチャート線図は理解のために一連の順序で描かれているが、あるステップは実際の実行においては並列に実行されることが可能であることは正しく理解されるであろう。
情報および信号は、異なった技術および手法の任意の取り合わせを用いて示されることが可能であることは正しく理解されるであろう。たとえば、以上の記述を通じて参照されるかもしれない、データ、指令、命令、情報、信号、ビット、シンボル、およびチップは、電圧、電流、電磁波、磁場あるいは粒子、光学場あるいは粒子、あるいは任意のこれらの組み合わせによって表されることが可能である。
【０１３４】
この中に開示された実施例と関連して記述された、種々の例示的な論理ブロック、モジュール、回路、およびアルゴリズムステップは、電子的ハードウエア、計算機ソフトウエア、あるいは両者の組み合わせとして実現することが可能である。このハードウエアおよびソフトウエアの互換性を明らかに示すために、種々の例示的なコンポーネント、ブロック、モジュール、回路、およびステップが一般的にその機能の形で上に記述されてきている。このような機能がハードウエアあるいはソフトウエアとして実現されるか否かは、特定の応用および全システムに課せられた設計制約によって異なる。熟練した技術者は、記述された機能を各特定の応用に対して種々の方法で実現することが可能である。しかしこのような実現の決定は、本発明の範囲からの逸脱の原因になるとして解釈されるべきではない。
【０１３５】
この中に開示された実施例と関連して記述された、種々の例示的な論理ブロック、モジュール、および回路は、汎用処理装置、ディジタル信号処理装置（ＤＳＰ）、特定用途向け集積回路（ＡＳＩＣ）、フィールドプログラマブルゲートアレイ（ＦＰＧＡ）あるいは他のプログラマブル論理デバイス、ディスクリートゲートあるいはトランジスタ論理、ディスクリートハードウエアコンポーネント、あるいはこの中に記述された機能を実行するように設計されたこれらの任意の組み合わせを用いて実現されあるいは実行されることが可能である。汎用処理装置はマイクロ処理装置であるかも知れず、しかし代わりに処理装置は任意の従来の処理装置、制御器、マイクロ制御器、あるいはステートマシンであるかも知れない。処理装置はまた、計算デバイス、たとえばＤＳＰおよびマイクロ処理装置の組み合わせ、複数のマイクロ処理装置、ＤＳＰコアと結合した１個あるいはそれ以上のマイクロ処理装置、あるいは任意の他のこのような配置であるかも知れない。
【０１３６】
この中に開示された実施例に関連して記述された方法のステップあるいはアルゴリズムは直接にハードウエア内で、処理装置によって実行可能なソフトウエアモジュール内で、あるいはこの二つの組み合わせ内で実現されるかも知れない。ソフトウエアモジュールはＲＡＭメモリ、フラッシュメモリ、ＲＯＭメモリ、ＥＰＲＯＭメモリ、ＥＥＰＲＯＭメモリ、抵抗器、ハードディスク、リムーバブルディスク、ＣＤ‐ＲＯＭ、あるいは当業界において知られる記憶媒体の任意の他の形式の中におかれるかも知れない。典型的な記憶媒体は処理装置が記憶媒体から情報を読み出し、そしてそれに情報を書き込むことが可能なように、処理装置に結合される。あるいは、記憶媒体は、処理装置に合体されるかも知れない。処理装置および記憶媒体は、ＡＳＩＣの中におかれるかも知れない。ＡＳＩＣは、ユーザ端末の中におかれるかも知れない。あるいは、処理装置および記憶媒体は、ディスクリートコンポーネントとしてユーザ端末内におかれるかも知れない。
【０１３７】
開示された実施例に関する上の記述は、当業界において熟練したいかなる人にも本発明を作成しあるいは使用することを可能とするために与えられる。当業界において熟練した人々に対しては、種々の変形が容易に明白であろうし、そしてこの中に定義された一般的原理は実施例の範囲から逸脱することなしに適用されることが可能である。したがって、本発明は、この中に示された実施例に限定されることを意図したものではなく、しかし、この中に開示された原理、および新しい特徴と矛盾のない最も広い範囲に一致されるべきものである。
【０１３８】
この特許文書の開示の一部分は、著作権保護の対象となる素材を含んでいる。著作権の所有者は、それが特許商標庁における特許出願あるいは記録内に現れる場合は、特許文書あるいは特許開示に関するいかなる人によるファクシミリ複写に対しても異議はないが、しかしそうでない場合は、いかなる場合でも、すべての著作権権利を保有する。
【図面の簡単な説明】
【０１３９】
【図１】図１は、逆方向あるいは順方向リンク上にデータ伝送を与えることが可能な通信システムに関する概念的ブロック線図を示す。
【図２】図２は、順方向リンク波形を示す。
【図３】図３は、逆方向電力制御チャネル上に電力制御命令およびパケット許可命令を伝達する方法を示す。
【図４ａ】図４ａ〜４ｃは、逆方向リンクチャネルのアーキテクチャを示す。
【図４ｂ】図４ａ〜４ｃは、逆方向リンクチャネルのアーキテクチャを示す。
【図４ｃ】図４ａ〜４ｃは、逆方向リンクチャネルのアーキテクチャを示す。
【図５ａ】図５ａ〜ｃは、本発明の逆方向リンク波形を示す。
【図５ｂ】図５ａ〜ｃは、本発明の逆方向リンク波形を示す。
【図５ｃ】図５ａ〜ｃは、本発明の逆方向リンク波形を示す。
【図６】図６は、逆方向リンクデータ伝送を示す。
【図７】図７は、逆方向リンクデータ再伝送を示す。
【図８】図８は、加入者局を示す。
【図９】図９は、制御器およびアクセス端末を示す。
【図１】
2005536967.tif 000006
【図２】
2005536967.tif 000007
【図３】
2005536967.tif 000008
【図４ａ】
2005536967.tif 000009
【図４ｂ】
2005536967.tif 000010
【図４ｃ】
2005536967.tif 000011
【図５ａ】
2005536967.tif 000012
【図５ｂ】
2005536967.tif 000013
【図５ｃ】
2005536967.tif 000014
【図６】
2005536967.tif 000015
【図７】
2005536967.tif 000016
【図８】
2005536967.tif 000017
【図９】
2005536967.tif 000018
【国際調査報告】
2005536967.tif 000019
2005536967.tif 000020
2005536967.tif 000021
2005536967.tif 000022
2005536967.tif 000023